(57)【特許請求の範囲】
【請求項１】
フェムトセルにおける無線通信の方法であって、
アウトオブバンド（ＯＯＢ）フェムトプロキシが、ＯＯＢ信号を送信することと、
前記ＯＯＢフェムトプロキシが、前記ＯＯＢ信号に対する応答に基づいて、フェムトセルカバレージエリア内のユーザー機器（ＵＥ）の存在を検出することと、
前記検出された存在に応答して、前記フェムトセルが、前記ＵＥを登録することと、
前記フェムトセルが、前記登録されたＵＥへのコントロールインフォメーションを備える不連続なインバンド送信を実行することであって、前記不連続なインバンド送信がウェイクアップ状態及びパワーダウン状態のシリーズを備えることと、
前記ＵＥの存在を検出する前に、前記フェムトセルが、前記コントロールインフォメーションを備える不連続なインバンド送信を実行することと、
不連続送信コントロールモジュールが、前記コントロールインフォメーションを備える不連続なインバンド送信の不連続なサイクルタイムを、前記登録されたＵＥへの不連続なインバンド送信に対する異なったサイクルタイムに変更することと、
を備える方法。
【請求項２】
前記フェムトセルが、第２のＵＥを登録することをさらに備え、前記第２のＵＥは、前記コントロールインフォメーションを備える不連続なインバンド送信に応答して登録を要求する
請求項１の方法。
【請求項３】
前記フェムトセルが、前記ＵＥの検出に応答して、前記コントロールインフォメーションを備える不連続なインバンド送信をディセーブルにすることと、
前記フェムトセルが、フェムトセルベースステーションを発見することを前記ＵＥに合図するために、インバンド送信を実行することと、
をさらに備えた請求項１の方法。
【請求項４】
前記不連続送信コントロールモジュールが、前記ＵＥの存在を検出することの前に、前記ＵＥを検出するために前記ＯＯＢ信号が送信されながら、前記インバンド送信を静的な不活性な状態に遷移させることをさらに備えた
請求項１の方法。
【請求項５】
前記不連続送信コントロールモジュールが、前記ＯＯＢフェムトプロキシによるプロキシミティ検出に応答して不連続な送信サイクルをモディファイすることをさらに備えた
請求項１の方法。
【請求項６】
前記登録されたＵＥへの不連続なインバンド送信は、前記ＵＥへの送信に対するウェイクアップ期間をスケジュールすることを備える
請求項１の方法。
【請求項７】
前記不連続送信コントロールモジュールが、前記ＵＥ及び複数の他の登録されたターミナルへの送信のための前記フェムトセルでのウェイクアップ期間をシンクロナイズさせることをさらに備えた
請求項１の方法。
【請求項８】
前記不連続送信コントロールモジュールが、前記フェムトセルにおけるアイドルモードにおいて、ＵＥへのダウンストリーム送信に対する不連続なサイクルタイム及びウェイクアップ期間タイミングを設定することをさらに備えた
請求項１の方法。
【請求項９】
前記不連続送信コントロールモジュールが、前記フェムトセルにおける接続モードにおいて、ＵＥへのダウンストリーム送信に対する不連続なサイクルタイム及びウェイクアップ期間タイミングを設定することをさらに備えた
請求項１の方法。
【請求項１０】
前記不連続送信コントロールモジュールが、前記不連続なサイクルタイム及びウェイクアップ期間タイミングが接続モードにおいて前記ＵＥに対して設定された後、前記フェムトセルにおけるアイドルモードにおいて前記ＵＥに対する不連続なサイクルタイム及びウェイクアップ期間タイミングを設定することをさらに備え、前記アイドルモードにおける前記ＵＥに対する前記不連続なサイクルタイム及びウェイクアップ期間タイミングは、前記アイドルモードにおけるウェイクアップ期間が接続モードにおける前記ウェイクアップ期間のサブセットにオーバーラップするように設定される
請求項９の方法。
【請求項１１】
前記不連続送信コントロールモジュールが、前記ＵＥ及び複数の他の登録されたＵＥに対する不連続な受信タイミングを決定することと、
前記不連続送信コントロールモジュールが、前記ウェイクアップ状態を前記決定された受信タイミングにマッチさせることと、
をさらに備えた請求項１の方法。
【請求項１２】
前記方法は、複数のネットワークデバイスによって実行され、
インバンド周波数は、前記フェムトセルとの通信に加えてマクロセルとの通信に用いることが可能であり、
前記ＯＯＢ信号はＢｌｕｅｔｏｏｔｈ（登録商標）信号である
請求項１の方法。
【請求項１３】
前記方法は、複数のネットワークデバイスによって実行され、
インバンド周波数は、前記フェムトセルとの通信に加えてマクロセルとの通信に用いることが可能である
請求項１の方法。
【請求項１４】
前記方法は、複数のネットワークデバイスによって実行され、
前記ＯＯＢ信号はＢｌｕｅｔｏｏｔｈ（登録商標）信号である
請求項１の方法。
【請求項１５】
フェムトセルにおける無線通信のための装置であって、
１以上のアンテナと、
前記１以上のアンテナに結合され、インバンド信号及びアウトオブバンド（ＯＯＢ）信号を送信及び受信するように構成されているトランシーバと、
前記トランシーバに通信的に結合され、前記ＯＯＢ信号に対する応答を用いて前記フェムトセル内のユーザー機器（ＵＥ）の存在を検出するように構成されているフェムトプロキシモジュールと、
前記フェムトプロキシモジュール及び前記トランシーバに通信的に結合され、前記検出された存在に応答して、前記フェムトセルで前記ＵＥを登録し、前記登録されたＵＥに向けられたコントロールインフォメーションを備える不連続なインバンド送信を発生し、前記ＵＥの存在を検出する前に、前記コントロールインフォメーションを備える不連続なインバンド送信を発生するように構成され、前記不連続なインバンド送信がウェイクアップ状態及びパワーダウン状態のシリーズを備えるフェムトセルアクセスポイントと、
前記フェムトセルアクセスポイントに通信的に結合され、前記コントロールインフォメーションを備える不連続なインバンド送信の不連続なサイクルタイムを、前記登録されたＵＥへの不連続なインバンド送信に対する異なったサイクルタイムに変更するように構成されている不連続送信コントロールモジュールと、
を備えた装置。
【請求項１６】
前記フェムトセルアクセスポイントは、
前記ＵＥの検出の際に前記コントロールインフォメーションを備える不連続なインバンド送信をディセーブルにし、
前記フェムトセルを発見することを前記ＵＥに合図するために前記ＵＥの検出に応答して連続的なインバンド送信を発生するように、
さらに構成されている請求項１５の装置。
【請求項１７】
前記不連続送信コントロールモジュールは、前記ＵＥがアイドルモードに遷移するときに前記不連続なサイクルタイムを変更するように構成されている
請求項１５の装置。
【請求項１８】
前記不連続送信コントロールモジュールは、前記ＵＥが接続モードに遷移するときに前記不連続なサイクルタイムを変更するように構成されている
請求項１５の装置。
【請求項１９】
前記不連続送信コントロールモジュールは、前記ＵＥの存在の前記検出の前に、前記ＵＥを検出するために前記ＯＯＢ信号が送信されながら、静的な不活性な状態に入らせるために前記フェムトセルアクセスポイントをトリガするように構成されている
請求項１５の装置。
【請求項２０】
前記不連続送信コントロールモジュールは、前記フェムトプロキシモジュールによるプロキシミティ検出に応答して不連続な送信サイクルをモディファイするように構成されている
請求項１５の装置。
【請求項２１】
前記フェムトセルアクセスポイントは、ウェイクアップ状態の間に前記ＵＥにアクセスパラメータを送信するように構成されている
請求項１５の装置。
【請求項２２】
前記登録されたＵＥへの不連続なインバンド送信は、前記ＵＥへの送信に対するウェイクアップ期間をスケジュールすることを備える
請求項１５の装置。
【請求項２３】
前記不連続送信コントロールモジュールは、前記ＵＥ及び複数の他の登録されたターミナルへの送信のための前記フェムトセルアクセスポイントに対するウェイクアップ期間をシンクロナイズさせるように構成されている
請求項１５の装置。
【請求項２４】
前記不連続送信コントロールモジュールは、前記ＵＥ及び複数の他の登録されたＵＥに対する不連続な受信タイミングを決定し、前記ウェイクアップ状態を前記決定された受信タイミングにマッチさせるように構成されている
請求項１５の装置。
【請求項２５】
前記装置は、フェムトプロキシシステムを用いるホームノードＢを備え、
前記登録は、インバンド送信を用いて実行される
請求項１５の装置。
【請求項２６】
フェムトセルにおける無線通信のための装置であって、
アウトオブバンド（ＯＯＢ）信号を送信する手段と、
前記ＯＯＢ信号に対する応答を用いてフェムトセルカバレージエリア内のユーザー機器（ＵＥ）の存在を検出する手段と、
前記検出された存在に応答して、前記フェムトセルで前記ＵＥを登録する手段と、
前記登録されたＵＥへのコントロールインフォメーションを備える不連続なインバンド送信を実行し、前記不連続なインバンド送信がウェイクアップ状態及びパワーダウン状態のシリーズを備える手段と、
前記ＵＥの存在を検出する前に、前記コントロールインフォメーションを備える不連続なインバンド送信を実行する手段と、
前記コントロールインフォメーションを備える不連続なインバンド送信の不連続なサイクルタイムを、前記登録されたＵＥへの不連続なインバンド送信に対する異なったサイクルタイムに変更する手段と、
を備える装置。
【請求項２７】
前記検出に応答して、前記不連続なサイクルタイムを変更する手段をさらに備えた
請求項２６の装置。
【請求項２８】
前記コントロールインフォメーションを備える不連続なインバンド送信の不連続なサイクルタイムを、アイドルモードにおいて前記登録されたＵＥへの不連続なインバンド送信に対する異なったサイクルタイムに変更する手段をさらに備えた
請求項２６の装置。
【請求項２９】
前記ＵＥを検出するために前記ＯＯＢ信号が送信されながら、前記不連続なインバンド送信を不活性化する手段をさらに備えた
請求項２６の装置。
【請求項３０】
前記ＯＯＢ信号によるプロキシミティ検出に応答して不連続な送信サイクルをモディファイする手段をさらに備えた
請求項２６の装置。
【請求項３１】
前記ＵＥ及び複数の他の登録されたターミナルへの送信のための前記フェムトセルでのウェイクアップサイクルをシンクロナイズさせる手段をさらに備えた
請求項２６の装置。
【請求項３２】
前記装置は、フェムトプロキシシステムであり、
インバンド周波数は、前記フェムトセルとの通信に加えてマクロセルとの通信に用いることが可能であり、
前記ＯＯＢ信号はＢｌｕｅｔｏｏｔｈ（登録商標）信号である
請求項２６の装置。
【請求項３３】
フェムトセルにおける無線通信のためのプロセッサであって、
アウトオブバンド（ＯＯＢ）信号を送信し、
前記ＯＯＢ信号に対する応答を用いてフェムトセルカバレージエリア内のユーザー機器（ＵＥ）の存在を検出し、
前記検出された存在に応答して、前記フェムトセルで前記ＵＥを登録し、
前記登録されたＵＥへのコントロールインフォメーションを備える不連続なインバンド送信を実行し、前記不連続なインバンド送信がウェイクアップ状態及びパワーダウン状態のシリーズを備え、
前記ＵＥの存在を検出する前に、前記コントロールインフォメーションを備える不連続なインバンド送信を実行し、
前記コントロールインフォメーションを備える不連続なインバンド送信の不連続なサイクルタイムを、前記登録されたＵＥへの不連続なインバンド送信に対する異なったサイクルタイムに変更する
ように構成されているプロセッサ。
【請求項３４】
前記検出に応答して、前記コントロールインフォメーションを備える不連続なインバンド送信の不連続なサイクルタイムを、前記登録されたＵＥへの不連続なインバンド送信に対する異なったサイクルタイムに変更するようにさらに構成されている
請求項３３のプロセッサ。
【請求項３５】
アイドルモードにおける前記不連続なインバンド送信の不連続なサイクルタイムを、接続モードにおける前記不連続なインバンド送信に対する異なったサイクルタイムに変更するようにさらに構成されている
請求項３３のプロセッサ。
【請求項３６】
前記ＵＥ及び複数の他の登録されたターミナルへの送信のための前記フェムトセルでのウェイクアップサイクルをシンクロナイズさせ、
不連続な受信に対する前記ＵＥ及び前記複数の他の登録されたターミナルに前記シンクロナイズしたサイクルタイムで合図をするようにさらに構成されている
請求項３３のプロセッサ。
【請求項３７】
プロセッサ読み取り可能なインストラクションを備えたプロセッサ読み取り可能な記憶媒体であって、前記プロセッサ読み取り可能なインストラクションはプロセッサに、
アウトオブバンド（ＯＯＢ）信号を送信させ、
前記ＯＯＢ信号に対する応答に基づいて、ＯＯＢフェムトプロキシを用いてフェムトセルカバレージエリア内のユーザー機器（ＵＥ）の存在を検出させ、
前記検出された存在に応答して、前記フェムトセルで前記ＵＥを登録させ、
前記登録されたＵＥへのコントロールインフォメーションを備える不連続なインバンド送信を実行させ、前記不連続なインバンド送信がウェイクアップ状態及びパワーダウン状態のシリーズを備え、
前記ＵＥの存在を検出する前に、前記コントロールインフォメーションを備える不連続なインバンド送信を実行させ、
前記コントロールインフォメーションを備える不連続なインバンド送信の不連続なサイクルタイムを、前記登録されたＵＥへの不連続なインバンド送信に対する異なったサイクルタイムに変更させるように構成されている
プロセッサ読み取り可能な記憶媒体。
【発明の詳細な説明】
【技術分野】
【０００１】
以下は、一般に無線通信に関し、より具体的にはフェムトセルにおける不連続なダウンストリーム送信（discontinuous downstream transmission）に関する。
【背景技術】
【０００２】
無線通信システムは、広く発展し、音声、ビデオ、パケットデータ、メッセージング、放送等のような、種々のタイプの通信コンテントに提供されている。これらのシステムは、利用可能なシステムリソース（例えば、時間、周波数、及び電力）をシェアすることによって、複数のユーザーとの通信をサポートすることが可能なマルチプルアクセスシステムであるかもしれない。そのようなマルチプルアクセスシステムの例は、コード分割マルチプルアクセス（ＣＤＭＡ）システム、時間分割マルチプルアクセス（ＴＤＭＡ）システム、周波数分割マルチプルアクセス（ＦＤＭＡ）システム、３ＧＰＰロングタームエボルーション（ＬＴＥ）システム、及び直交周波数分割マルチプルアクセス（ＯＦＤＭＡ）システムを含む。
【０００３】
一般に、無線マルチプルアクセス通信システムは、多くのベースステーションを含むかもしれず、それぞれは複数のモバイルターミナルに対する通信を同時にサポートするかもしれない。ベースステーションは、ダウンストリーム及びアップストリームリンク上でモバイルターミナルと通信するかもしれない。各ベースステーションは、カバレージレンジを有し、それはセルのカバレージエリアとして参照されるかもしれない。セルラー展開において、マクロセルは、いなかの（rural）、郊外の（suburban）、及び都会の（urban）エリアといった、広い領域に仕えるセルを記述するために用いられる。「フェムトセル」は、より小さなセルであり、典型的には、家庭、小ビジネス、ビルディング、或いは他の制限された領域内での使用に対して展開される。それは、ブロードバンド接続を介してサービスプロバイダのネットワークにしばしば接続される。３ＧＰＰタームにおいて、フェムトセルは、ＬＴＥに対するＵＭＴＳ（ＷＣＤＭＡ(登録商標）、或いはハイスピードパケットアクセス（ＨＳＰＡ）及びＨｏｍｅｅＮｏｄｅＢ（ＨｅＮＢ））に対するＨｏｍｅＮｏｄｅＢ（ＨＮＢ）として参照されるかもしれない。
【０００４】
フェムトセル送信は、同じ周波数で展開される他のフェムトセルやマクロセルに対してセルラー間干渉を引き起こすかもしれない。この干渉は、それらのセルにおいてキャパシティ及びユーザーが知覚するパフォーマンスを劣化させる。セルラー間干渉は、ユーザー機器（user equipment）（ＵＥ）によってフェムトセルの発見を容易にするために、フェムトセルがインバンド信号（in-band signal）を連続的に送信するときに、引き起こされるかもしれない。しかしながら、連続的なインバンド送信の全てが必要ではないかもしれない。過度のインバンド信号を送信することは、ＨＮＢ／ＨｅＮＢでの電力消費に悪影響を与え、隣接するセルでの干渉を引き起こすかもしれない。
【発明の概要】
【０００５】
説明される特徴は一般に、フェムトセルにおける不連続なダウンストリーム送信に対する１以上の改善されたシステム、方法、及び／又は装置に関連する。説明される方法及び装置の応用性のさらなる観点は、以下の詳細な説明、クレーム及び図面から明らかになるであろう。詳細な説明及び実施例は、説明のためにのみ与えられており、説明の精神及び範囲内の変更及び変形は、当業者に明らかになるであろう。
【０００６】
システム、方法、デバイス、及びコンピュータプログラム製品は、無線通信システムにおける不連続な送信のために説明される。一例において、フェムトセルは、フェムトセルカバレージエリア内のＵＥの存在を検出するために、アウトオブバンド（ＯＯＢ）信号を用いる。検出に応答して、フェムトセルは、検出されたＵＥとの通信及び検出されたＵＥの登録を容易にするために、インバンド（in-band）信号を送信するかもしれない。フェムトセルは、登録されたＵＥに不連続なインバンド送信（discontinuous in-band transmission）を実行するかもしれない。
【０００７】
フェムトセルにおける無線通信の例示的な方法は、アウトオブバンド（ＯＯＢ）フェムトプロキシ（femto-proxy）を用いてフェムトセルカバレージエリア内のユーザー機器（user equipment）（ＵＥ）の存在を検出し、検出された存在に応答するフェムトセルでＵＥを登録し（register）、登録されたＵＥに不連続なインバンド送信を実行することを含み、不連続なインバンド送信はウェイクアップ及びパワーダウン状態のシリーズ（series of wake-up and powered down states）を備える。
【０００８】
そのような方法の実施例は、以下の特徴の１以上を含むかもしれない；不連続なインバンド送信を実行することは、ＵＥの存在を検出する前のコントロールインフォメーションを備える；第２のＵＥを登録し、第２のＵＥは、コントロールインフォメーションを備えた不連続なインバンド送信に応答する登録を要求する；ＵＥの検出に応答するコントロールインフォメーションを備えた不連続なインバンド送信をディセーブル（disable）にし、フェムトセルベースステーションを発見する（discover）ことをＵＥに合図する（signal）ために、インバンド送信を実行する;コントロールインフォメーションを備える不連続なインバンド送信の不連続なサイクルタイムを、登録されたＵＥへの不連続なインバンド送信に対する異なったサイクルタイムに変更する;ＵＥの存在を検出することの前に、ＵＥを検出するためにＯＯＢ信号が送信されながら、インバンド送信を静的な不活性な状態（static deactivated state）に遷移させる。
【０００９】
また、実施例は、ＯＯＢフェムトプロキシによるプロキシミティ検出に応答して不連続な送信サイクルをモディファイすることを含み、登録されたＵＥへの不連続なインバンド送信は、ＵＥへの送信に対するウェイクアップ期間をスケジュールすることを備え；ＵＥ及び複数の他の登録されたターミナルへの送信のためのフェムトセルでのウェイクアップ期間をシンクロナイズさせ；フェムトセルにおけるアイドルモード（idle mode）において、ＵＥへのダウンストリーム送信に対する不連続なサイクルタイム及びウェイクアップ期間タイミング（wake-up period timing）を設定し；フェムトセルにおける接続モード（connected mode）において、ＵＥへのダウンストリーム送信に対する不連続なサイクルタイム及びウェイクアップ期間タイミングを設定し；不連続なサイクルタイム及びウェイクアップ期間タイミングが接続モードにおいてＵＥに対して設定された後、フェムトセルにおけるアイドルモードにおいてＵＥに対する不連続なサイクルタイム及びウェイクアップ期間タイミングを設定し、アイドルモードにおけるＵＥに対する不連続なサイクルタイム及びウェイクアップ期間タイミングは、アイドルモードにおけるウェイクアップ期間が接続モードにおけるウェイクアップ期間のサブセットに実質的にオーバーラップするように設定され；ＵＥ及び複数の他の登録されたＵＥに対する不連続な受信タイミング（reception timing）を決定し、ウェイクアップ状態を決定された受信タイミングにマッチさせ；前記方法は、複数のネットワークデバイスによって実行され、インバンド周波数は、フェムトセルとの通信に加えてマクロセルとの通信に用いることが可能であり、ＯＯＢ信号はＢｌｕｅｔｏｏｔｈ（登録商標）信号であり；前記方法は、複数のネットワークデバイスによって実行され、インバンド周波数は、フェムトセルとの通信に加えてマクロセルとの通信に用いることが可能であり；前記方法は、複数のネットワークデバイスによって実行され、ＯＯＢ信号はＢｌｕｅｔｏｏｔｈ（登録商標）信号である。
【００１０】
フェムトセルにおける無線通信のための例示的な装置は、１以上のアンテナと、１以上のアンテナに結合され、インバンド及びアウトオブバンド（ＯＯＢ）信号を送信及び受信するように構成されたトランシーバと、トランシーバに通信的に結合され（communicatively coupled）、ＯＯＢ信号を用いてフェムトセル内のユーザー機器（ＵＥ）の存在を検出するように構成されたフェムトプロキシモジュールと、フェムトプロキシモジュール及びトランシーバに通信的に結合され、検出された存在に応答するフェムトセルでＵＥを登録し、ウェイクアップ及びパワーダウン状態のシリーズを備えた登録されたＵＥに向けられた（directed）不連続なインバンド送信を発生するように構成されたフェムトセルアクセスポイントと、を含む。フェムトセルアクセスポイントはさらに、ＵＥの存在を検出する前のコントロールインフォメーションを備えた不連続なインバンド送信を発生するように構成され；フェムトセルアクセスポイントは、ＵＥの検出に応答してコントロールインフォメーションを備えた不連続なインバンド送信をディセーブルにし、フェムトセルを発見することをＵＥに合図するためにＵＥの検出に応答して連続的なインバンド送信を発生するように、さらに構成されている。
【００１１】
そのような装置の実施例は、１以上の以下の特徴を含むかもしない；フェムトセルアクセスポイントに通信的に結合された不連続送信コントロールモジュール含み、不連続送信コントロールモジュールは、コントロールインフォメーションを備える不連続なインバンド送信の不連続なサイクルタイムを、登録されたＵＥへの不連続なインバンド送信に対する異なったサイクルタイムに変更するように構成されている。不連続送信コントロールモジュールは、ＵＥがアイドルモード或いは接続モードに遷移するときに、不連続なサイクルタイムを変更するように構成されている。不連続送信コントロールモジュールは、ＵＥの存在の検出の前に、ＵＥを検出するためにＯＯＢ信号が送信されながら、静的な不活性な状態に入らせるためにフェムトセルアクセスポイントをトリガするように構成され、或いは、フェムトプロキシモジュールによるプロキシミティ検出に応答して不連続な送信サイクルをモディファイするように構成されている。
【００１２】
フェムトセルアクセスポイントは、ウェイクアップ状態の最中にＵＥにアクセスパラメータを送信するように構成されているかもしれず、登録されたＵＥへの不連続なインバンド送信は、ＵＥへの送信に対するウェイクアップ期間をスケジュールすることを備え、不連続送信コントロールモジュールは、ＵＥ及び複数の他の登録されたターミナルへの送信のためのフェムトセルアクセスポイントに対するウェイクアップ期間をシンクロナイズさせ、ＵＥ及び複数の他の登録されたＵＥに対する不連続な受信タイミングを決定し、ウェイクアップ状態を決定された受信タイミングにマッチさせる。前記装置は、フェムトプロキシシステムを用いるホームノードＢであるかもしれず、前記登録は、インバンド送信を用いて実行されるかもしれない。
【００１３】
装置は、アウトオブバンド（ＯＯＢ）信号を用いてフェムトセルカバレージエリア（fentocell coverage area）内のユーザー機器（ＵＥ）の存在（presence）を検出する手段と、検出された存在に応答する（responsive to）フェムトセルでＵＥを登録する（resistor）手段と、ウェイクアップ及びパワーダウン状態のシリーズを備える登録されたＵＥへの不連続なインバンド送信（discontinuous in-band transmission）を実行する手段と、を含むかもしれない。装置は、検出に応答する不連続なサイクルタイムを変更する手段を含むかもしれず、コントロールインフォメーションを備える不連続なインバンド送信の不連続なサイクルタイムを、アイドルモードにおいて登録されたＵＥへの不連続なインバンド送信に対する異なったサイクルタイムに変更する手段をさらに含むかもしれず、ＵＥを検出するためにＯＯＢ信号が送信されながら、不連続なインバンド送信を不活性化する手段、ＯＯＢフェムトプロキシによるプロキシミティ検出に応答して不連続な送信サイクルをモディファイする手段、或いは、ＵＥ及び複数の他の登録されたターミナルへの送信のためのフェムトセルでのウェイクアップ期間をシンクロナイズさせる手段を含んでもよく、前記装置は、フェムトプロキシシステムであり、前記インバンド周波数は、フェムトセルとの通信に加えてマクロセルとの通信に用いることが可能であり、前記ＯＯＢ信号はＢｌｕｅｔｏｏｔｈ（登録商標）信号である。
【００１４】
フェムトセルにおける無線通信のための例示的なプロセッサは、以下を実行する；アウトオブバンド（ＯＯＢ）信号を用いてフェムトセルカバレージエリア内のユーザー機器（ＵＥ）の存在（presence）を検出し、検出された存在に応答する（responsive to）フェムトセルでＵＥを登録し（resister）、ウェイクアップ及びパワーダウン状態のシリーズを備える登録されたＵＥへの不連続なインバンド送信を実行する。プロセッサは、検出に応答して、コントロールインフォメーションを備える不連続なインバンド送信の不連続なサイクルタイムを、登録されたＵＥへの不連続なインバンド送信に対する異なったサイクルタイムに変更してもよく、アイドルモード（idle mode）における不連続なインバンド送信の不連続なサイクルタイムを、接続モード（connected mode）における不連続なインバンド送信に対する異なったサイクルタイムに変更してもよく、ＵＥ及び複数の他の登録されたターミナルへの送信のためのフェムトセルでのウェイクアップサイクルをシンクロナイズさせ、或いは、不連続な受信に対するＵＥ及び複数の他の登録されたターミナルにシンクロナイズしたサイクルタイムで合図をする（signal）ようにしてもよい。
【００１５】
プロセッサ読み取り可能な媒体に存在し、プロセッサ読み取り可能なインストラクションを備えた例示的なコンピュータプログラム製品は、アウトオブバンド（ＯＯＢ）フェムトプロキシ（femto-proxy）を用いてフェムトセルカバレージエリア内のユーザー機器（ＵＥ）の存在を検出し、検出された存在に応答するフェムトセルでＵＥを登録し、ウェイクアップ及びパワーダウン状態のシリーズを備える登録されたＵＥへの不連続なインバンド送信を実行するかもしれない。
【００１６】
フェムトセルにおける無線通信の例示的な方法は、フェムトセルにおける接続モードにおいて、ユーザー機器（ＵＥ）へのダウンストリーム送信に対する不連続なサイクルタイム及びウェイクアップ期間タイミングを設定することと、不連続なサイクルタイム及びウェイクアップ期間タイミングが接続モードにおいてＵＥに対して設定された後、フェムトセルにおけるアイドルモードにおいてＵＥに対する不連続なサイクルタイム及びウェイクアップ期間タイミングを設定することとを含むかもしれず、アイドルモードにおけるＵＥに対する不連続なサイクルタイム及びウェイクアップ期間タイミングは、アイドルモードにおけるウェイクアップ期間が接続モードにおけるウェイクアップ期間のサブセット（subset）に実質的にオーバーラップするように設定されてもよい。接続モードにおけるＵＥに対する不連続なサイクルタイムは、アイドルモードにおけるＵＥよりも短いかもしれない。フェムトセルにおけるアイドルモードにおいてＵＥに対するウェイクアップ期間タイミングを設定することは、アイドルモードにおけるＵＥに対するウェイクアップ期間のスタートを、接続モードにおけるＵＥに対するウェイクアップ期間のスタートにアライン（align）させることを含むかもしれない。アイドルモードにおけるＵＥに対するウェイクアップ期間の長さは、接続モードにおけるＵＥに対するウェイクアップ期間に実質的に等しいかもしれない。アイドルモードにおけるＵＥに対する不連続なサイクルタイムは、接続モードにおけるＵＥに対する不連続なサイクルタイムの整数倍に実質的に等しいかもしれない。
【図面の簡単な説明】
【００１７】
【図１】図１は、無線通信システムのブロック図を示している。
【図２Ａ】図２Ａは、フェムトプロキシシステムを含む例示的な無線通信システムのブロック図を示している。
【図２Ｂ】図２Ｂは、フェムトプロキシシステムの代替的な構成を含む例示的な無線通信システムのブロック図を示している。
【図３】図３は、通信マネージメントサブシステムの機能をインプリメントするためのプロセッサモジュールの実施例のブロック図を示している。
【図４】図４は、ＵＥの実施例のブロック図を示している。
【図５Ａ】図５Ａは、フェムトセルでの不連続な送信に対するタイミング図を示している。
【図５Ｂ】図５Ｂは、フェムトセルでの不連続な送信に対するタイミング図を示している。
【図５Ｃ】図５Ｃは、フェムトセルでの不連続な送信に対するタイミング図を示している。
【図６】図６は、フェムトセルでの不連続なダウンストリーム送信の方法のフローチャートである。
【図７】図７は、タイミングサイクルのダイナミックなチェンジングを用いたフェムトセル内の不連続なダウンストリーム送信の方法のフローチャートである。
【図８】図８は、種々のタイミングサイクルアラインメントテクニックを用いたフェムトセル内の不連続なダウンリンク送信の方法のフローチャートである。
【図９】図９は、異なった構成のＵＥに対するフェムトセル内の不連続なダウンリンク送信の方法のフローチャートである。
【図１０】図１０は、フェムトセル内の不連続なインバンド送信のタイミングをシンクロナイズする方法のフローチャートである。
【発明を実施するための形態】
【００１８】
無線通信システムにおける不連続なダウンストリーム送信のマネージメントが説明される。フェムトセルにおいてユーザーが登録されていないとき、フェムトセルは、アウトオブバンド（out-of-band）（ＯＯＢ）信号及びインバンド（in-band）コントロールインフォメーション（例えば、パイロット信号）の不連続な送信（discontinuous transmission）を用いて、ユーザー機器（user equipment）（ＵＥ）によるフェムトセルの発見（discovery）を容易にするかもしれない。一例において、フェムトセルは、ＯＯＢ信号を用いてフェムトセルカバレージエリア（femtocell coverage area）内のＵＥの存在（presence）を検出する。検出に応答して、フェムトセルは、検出されたＵＥとの通信及び検出されたＵＥの登録（registration）を容易にするために、連続的なインバンド信号のセットを送信するかもしれない。登録されたＵＥは、アイドルモード（idle mode）に入るかもしれず、フェムトセルは、登録されたＵＥへの不連続なインバンド送信（discontinuous in-band transmission）を実行するかもしれない。ＵＥが接続モード（connected mode）に入ると、フェムトセルは、不連続な送信のサイクルをモディファイ（modify）するかもしれない。
【００１９】
ここで説明されるテクニックは、ＣＤＭＡ，ＴＤＭＡ，ＦＤＭＡ，ＯＦＤＭＡ，ＳＣ−ＦＤＭＡ、及び他のシステムのような、種々の無線通信システムに用いられるかもしれない。「システム」及び「ネットワーク」なる語句は、しばしば互換的に用いられる。ＣＤＭＡシステムは、ＣＤＭＡ２０００、Universal Terrestrial Radio Access（ＵＴＲＡ）といった無線技術をインプリメントするかもしれない。ＣＤＭＡ２０００は、ＩＳ−２０００，ＩＳ−９５，及びＩＳ−８５６スタンダードをカバーする。ＩＳ−２０００  Ｒｅｌｅａｓｅｓ０及びＡは、ＣＤＭＡ２０００  １Ｘ、１Ｘ等として参照されるかもしれない。ＩＳ−８５６（ＴＩＡ−８５６）は、ＣＤＭＡ２０００  １ｘＥＶ−ＤＯハイレートパケットデータ（ＨＲＰＤ）等として参照されるかもしれない。ＵＴＬＡは、ワイドバンドＣＤＭＡ（ＷＣＤＭＡ）及び他の種々のＣＤＭＡを含む。ＴＤＭＡシステムは、Global System for Mobile Communication（ＧＳＭ（登録商標））のような無線技術をインプリメントするかもしれない。ＯＦＤＭＡシステムは、ウルトラモバイルブロードバンド（ＵＭＢ），Evolved ＵＴＲＡ（Ｅ−ＵＴＲＡ），ＩＥＥＥ８０２．１１（Ｗｉ−Ｆｉ），ＩＥＥＥ８０２．１６（ＷｉＭＡＸ），ＩＥＥＥ８０２．２０，Ｆｌａｓｈ−ＯＦＤＭ（登録商標）等をインプリメントするかもしれない。ＵＴＲＡ及びＥ−ＵＴＲＡは、Universal Mobile Telecommunication System（ＵＭＴＳ）の一部である。3GPP Long Term Evolution（ＬＴＥ）及び LTE Advanced（ＬＴＥ−Ａ）は、Ｅ−ＵＴＲＡを用いるＵＭＴＳの新しいリリースである。ＵＴＲＡ，Ｅ−ＵＴＲＡ，ＵＭＴＳ，ＬＴＥ，ＬＴＥ−Ａ，及びＧＳＭ（登録商標）は、"3rd Generation Partnership Project"（３ＧＰＰ）と名付けられた組織からの文書に説明されている。ＣＤＭＡ２０００及びＵＭＢは、"3rd Generation Partnership Project 2"（３ＧＰＰ２）と名付けられた組織からの文書に説明されている。ここで説明されるテクニックは、他のシステム及び無線技術と同様に、上述したシステム及び無
線技術に用いられるかもしれない。以下の説明は、しかしながら、例示目的のためにＬＴＥシステムを説明し、ＬＴＥアプリケーション以外にも応用可能であるが、ＬＴＥ技術は以下の説明の多くで用いられる。
【００２０】
それ故、以下の説明は例を提供し、クレームで明らかにされる範囲、適用性或いは構成を制限しない。変更は、開示の精神及び範囲から逸脱することなく、議論される要素の機能及びアレンジメントにおいてなされるかもしれない。種々の形態が、適宜、種々の手順或いはコンポーネントを削除、置き換え、或いは付加するかもしれない。例えば、説明される方法は、説明される順序とは異なる順序で実行されるかもしれず、種々のステップが追加、削除或いは結合されるかもしれない。また、実施形態について説明される特徴は、他の実施形態に組み合わせられるかもしれない。以下の説明では、ＤＴＸ及び不連続な送信なるタームを互換的に用いる。
【００２１】
図１を参照すると、ブロック図は、無線通信システム１００の一例を示している。システム１００は、セル１１０内に配置されたベーストランシーバステーション（ＢＴＳ）１０５、モバイル（mobile）ユーザー機器（user equipment）（ＵＥ）１１５、及びベースステーションコントローラ（ＢＳＣ）１２０を含んでいる。システム１００は、複数のキャリア上のオペレーション（波形信号及び異なった周波数）をサポートするかもしれない。マルチキャリア送信機は、変調された信号を同時に複数のキャリア上で送信することができる。各変調された信号は、ＣＤＭＡ信号、ＴＤＭＡ信号、ＯＦＤＭＡ信号、ＳＣ−ＦＤＭＡ信号等であるかもしれない。各変調された信号は、異なるキャリア上で送られるかもしれず、コントロールインフォメーション（例えば、パイロット信号）、オーバーヘッドインフォメーション、データ等を運ぶかもしれない。システム１００は、ネットワークリソースを効率的に割り当てることが可能なマルチキャリアＬＴＥネットワークであるかもしれない。
【００２２】
ＢＴＳ１０５は、ベースステーションアンテナを介してＵＥ１１５と無線通信するかもしれない。ＢＴＳ１０５は、複数のキャリアを介してＢＳＣのコントロール下でＵＥ１１５と通信するように構成されている。ＢＴＳ１０５のそれぞれは、対応する地理的エリア（ここでは、セル１１０−ａ、１１０−ｂ、或いは１１０ｃ）に対する通信範囲を提供することができる。システム１００は、異なるタイプのＢＴＳ１０５（マクロ、ミクロ及び／又はピコベースステーション）を含むかもしれない。
【００２３】
ＵＥ１１５は、セル１１０中に分散しているかもしれない。ＵＥ１１５は、モバイルステーション、モバイルデバイス、アクセスターミナル（ＡＴ）、或いはサブスクライバユニットとして参照されるかもしれない。ＵＥ１１５はここでは、セルラフォン及び無線通信デバイスを含み、パーソナルデジタルアシスタント（ＰＤＡ）、他のハンドへルドデバイス、ネットブック、ノートブックコンピュータ等をも含むかもしれない。
【００２４】
以下の議論について、ＵＥ１１５は、複数のＢＴＳ１０５によって容易にされたマクロ或いは類似するネットワーク上で動作する（キャンプされる（camped）（以後、説明を容易にするため、マクロＢＴＳ１０５及びマクロ通信ネットワークは例示目的のために用いられ、原理がマクロ又はピコセルに適用されないかもしれない）。各マクロＢＴＳ１０５は、相対的に大きな地理的エリアをカバーするかもしれず（例えば、半径数キロメートル）、サービスサブスクリプション（service subscription）を有するターミナルによって制限されていないアクセスを許容するかもしれない。ＵＥ１１５の一部は、「フェムト」或いは「ホーム」ＢＴＳによって容易にされる少なくとも１つのフェムトセル上で動作することを登録される。
【００２５】
ＵＥ１１５は一般に、スモールバッテリのような内部電源を用いて動作するかもしれず、高いモバイル動作を容易にする。フェムトセルのようなネットワークデバイスの戦略的な展開は、モバイルデバイスの電力消費を軽減するために用いられるかもしれない。例えば、フェムトセルは、そうでなければ十分な或いは同等のサービスを経験しないかもしれないエリア内のサービス（例えば、キャパシティの制限、帯域幅の制限、信号フェイディング、信号シャドウイング、等）を提供するために用いられるかもしれず、それにより、ＵＥ１１５に、サーチ時間を減少させ、送信電力を減少させ、送信時間を減少させるかもしれない。フェムトセル（例えば、フェムトＢＴＳ１０５）は、相対的に小さなサービスエリア内でサービスを提供する（例えば、家やビルディング内）。したがって、ＵＥ１１５は典型的には、サービスを受けるときにフェムトセルの近くに配置され、しばしばＵＥが低減された送信電力で通信することを許容する。
【００２６】
一例として、フェムトセルは、レジデンスやオフィスビルディング等のユーザー建物（premise）内に配置されたＨｏｍｅＮｏｄｅＢ（“ＨＮＢ”）としてインプリメントされるかもしれない。ＨＮＢは、以降、任意のフェムトセルアクセスポイントを述べるために一般に用いられるが、制限するものとして解釈されるべきではない。ＨＮＢの位置は、最大のカバレージのために選択されるかもしれず（例えば、中心的な位置）、グローバルポジショニングサテライト（ＧＰＳ）（例えば、窓の近く）或いは他の位置へのアクセスを許容するかもしれない。ここでの開示は、ＵＥ１１５のセットが実質的にユーザー建物内全体にわたるカバレージを提供する単一のＨＮＢ上に登録される（例えば、ホワイトリスト上）ことを想定している。“ホーム”ＨＮＢは、マクロ通信ネットワークへの接続を介して通信サービスへのアクセスをＵＥ１１５に提供する。ここで用いられるように、マクロ通信ネットワークは、無線ワイドエリアネットワーク（ＷＷＡＮ）であると想定される。「マクロ通信ネットワーク」及び「ＷＷＡＮネットワーク」のようなタームは、互換可能である。同様のテクニックが、開示の或いはクレームの範囲から逸脱することなく、他のタイプのネットワーク環境、ＨＮＢカバレージトポロジー等に適用されるかもしれない。
【００２７】
例示的な構成において、ＨＮＢは、フェムトプロキシ（femto-proxy）システムとしての１以上のアウトオブバンド（out-of-band）（ＯＯＢ）プロキシとともに集積化されるかもしれない。ここで用いられる「アウトオブバンド」或いは「ＯＯＢ」は、マクロ通信ネットワーク（或いは、適用可能であるようなマクロ又はピコセル）についてアウトオブバンドである任意のタイプの通信を含む。例えば、ＯＯＢプロキシ及び／又はＵＥ１１５は、Ｂｌｕｅｔｏｏｔｈ（登録商標）（例えば、クラス１、クラス１．５、及び／又はクラス２）、ＺｉｇＢｅｅ（登録商標）（例えば、ＩＥＥＥ８０２．１５．４−２００３無線スタンダード）、及び／又は、任意の他の有用なタイプのマクロネットワークバンドの外の通信、を用いて動作するように構成されているかもしれない。
【００２８】
ＯＯＢのＨＮＢとの集積化（integration）は、多くの特徴を提供するかもしれない。例えば、ＯＯＢプロキシは、低減された干渉、低電力ＨＮＢ登録（registration）、及び／又は再選択（reselection）を許容するかもしれない。さらに、ＯＯＢ機能（functionality）のＨＮＢとの集積化は、ＨＮＢに関連付けられたＵＥ１１５がＯＯＢピコネット（piconet）の一部であることをも許容するかもしれない。ピコネットは、増強されたＨＮＢ機能、他の無線サービス、電力管理機能、及び／又はＵＥ１１５への他の特徴を容易にするかもしれない。これら及び他の特徴は、以下の説明からさらに認識されるであろう。
【００２９】
図２Ａは、フェムトプロキシシステム２９０−ａを含む無線通信システム２００−ａのブロック図を示している。フェムトプロキシシステム２９０−ａは、単一のデバイスに集積される、或いは多くのネットワークデバイス（すなわち、直接的或いは間接的に、フェムトプロキシシステム２９０−ａの機能を提供する、互いに通信する多くの異なったデバイス）に構成されるかもしれない。フェムトプロキシシステム２９０−ａは、フェムトプロキシモジュール２４０−ａ、ＤＴＸモジュール２３５−ａ、ＨＮＢ２３０−ａ、及び通信マネージメントサブシステム２５０を含んでいる。ＨＮＢ２３０−ａは、フェムトＢＴＳであるかもしれない。フェムトプロキシシステム２９０−ａは、アンテナ２０５、トランシーバモジュール２１０、メモリ２１５、及びプロセッサモジュール２２５も含み、それらは、直接的或いは間接的に相互に（例えば、１以上のバス上で）通信を行うかもしれない。トランシーバモジュール２１０は、アンテナ２０５を介してＵＥ１１５と双方向に通信するように構成されている。トランシーバモジュール２１０（及び／又はフェムトプロキシシステム２９０−ａの他のコンポーネント）は、マクロ通信ネットワーク１００−ａ（例えば、ＷＷＡＮ）と双方向に（例えば、有線或いは無線リンクを通して）通信するように構成されている。マクロ通信ネットワーク１００−ａは、図１の通信システム１００であるかもしれない。
【００３０】
メモリ２１５は、ランダムアクセスメモリ（ＲＡＭ）及びリードオンリメモリ（ＲＯＭ）を含むかもしれない。メモリ２１５は、実行時にプロセッサモジュール２２５に対してここで述べる種々の機能（例えば、セルプロセッシング、データベースマネージメント、メッセージルーティング等）を実行させるように構成されたインストラクションを含むコンピュータ読み取り可能、コンピュータ実行可能なソフトウェアコード２２０を記憶するかもしれない。或いは、ソフトウェア２２０は、プロセッサモジュール２２５によって直接的に実行可能ではなく、例えばコンパイル及び実行されたときに、コンピュータにここで説明される機能を実行させるように構成されているかもしれない。
【００３１】
プロセッサモジュール２２５は、インテリジェントなハードウェアデバイスであり、例えば、Ｉｎｔｅｌ（登録商標）ＣｏｒｐｏｒａｔｉｏｎやＡＭＤ（登録商標）によって製造されたようなセントラルプロセッシングユニット（ＣＰＵ）、マイクロコントローラ、特定用途向け集積回路（ＡＳＩＣ）等である。トランシーバモジュール２１０は、パケットを変調し、変調されたパケットを送信のためのアンテナ２０５に供給し、アンテナ２０５から受信したパケットを復調するように構成されたモデムを含むかもしれない。システム２９０−ａのいくつかの例は、単一のアンテナを含むかもしれないが、システム２９０−ａは、複数のリンクに対する複数のアンテナ２０５を含むかもしれない。例えば、１以上のリンクは、ＵＥ１１５とともにマクロネットワーク通信をサポートするために用いられるかもしれない。また、１以上のＯＯＢリンクは、同一のアンテナ又は異なるアンテナ２０５によってサポートされるかもしれない。
【００３２】
特に、フェムトプロキシシステム２９０−ａは、ＨＮＢ２３０−ａ及びフェムトプロキシモジュール２４０−ａの機能の両方を提供するように構成されている。一例において、フェムトプロキシモジュール２４０−ａは、アウトオブバンド（ＯＯＢ）信号を用いてフェムトセル内のＵＥの存在（presence）を検出するかもしれない。ＨＮＢ２３０−ａは、検出された存在に応答するフェムトセルでＵＥを登録する（register）かもしれず、登録されたＵＥに向けられた（directed）不連続な（discontinuous）インバンド送信を発生するかもしれない。
【００３３】
それ故、ＨＮＢ２３０−ａは、不連続な送信モードで動作するかもしれず、コントロールインフォメーション（例えば、システムインフォメーションブロードキャスト（ＳＩＢ）及び／又はパイロット信号）を周期的に送信するかもしれない。不連続送信モードは、ＨＮＢ２３０−ａが送信バースト（transmission burst）をアクティブに発生するウェイクアップ状態（Wake-up state）、及びＨＮＢ２３０−ａがパワーオフされ不活性化されるパワーダウン状態（powered-down state）を含むかもしれず、そうでなければ低パワーモードで動作するかもしれない。ウェイクアップ及びパワーダウン状態は交互に繰り返す（alternate）かもしれず、サイクルタイムは種々のファクタに依存して変化するかもしれない。ＤＴＸモジュール２３５−ａは、サイクルタイミングを設定するかもしれない。例えば、ＤＴＸモジュール２３５−ａは、ＵＥ１１５の存在（presence）が検出されたとき、ＵＥ１１５が登録されたとき、登録されたＵＥ１１５がアイドルモード（idle mode）に入ったとき、アイドルモードのＵＥ１１５が接続モード（connected mode）に遷移したときに、不連続なシグナリングのサイクルタイムを変更するかもしれない。さらに、ＤＴＸモジュール２３５−ａは、通信が発生するタイプに依存して接続モード内でサイクル期間をモディファイするかもしれない。
【００３４】
フェムトセルが登録されたＵＥ１１５を有していない例について考える。フェムトプロキシモジュール２４０−ａは、フェムトセルカバレージエリアに入ったＵＥ１１５と通信して検出することを試みるために、ＯＯＢ信号を送信するかもしれない。同時に、ＨＮＢ２３０−ａは、不連続送信モードで動作するかもしれず、カバレージエリアに入るＵＥ１１５によってフェムトセルの発見を容易にするためにコントロール情報を送信するかもしれない。
【００３５】
フェムトセルカバレージエリア内のＵＥ１１５の存在は、ＯＯＢシグナリングを用いて検出されるかもしれない。例えば、ＵＥ１１５は、ＯＯＢ信号を受信し、フェムトプロキシモジュール２４０−ａと通信する（例えば、サービスをリクエストする）かもしれない。フェムトプロキシモジュール２４０−ａは、フェムトセルカバレージエリア内のＵＥ１１５の存在を検出するかもしれず、ＨＮＢ２３０−ａをトリガしてウェイクアップさせる（例えば、現在のＤＴＸサイクルを中断し、パワーダウン状態から早く抜け出させる）かもしれない。コントロールインフォメーションの不連続な送信は、ディセーブルにされる（disabled）かもしれず、ＨＮＢ２３０−ａは、連続的な送信を開始して、ＵＥ１１５によるフェムトセル内の発見及び登録を容易にするかもしれない。代替的なアプローチは、ＯＯＢリンク上でＵＥ１１５に通信されるフェムトセルのＤＴＸスケジュールに対するものである。この場合、現在のフェムトセルＤＴＸスケジュールを中断する必要はない。
【００３６】
多くの代替的なシナリオがある。例えば、ＵＥ１１５がイネーブルにされたプロキシでないとすると、ＵＥ１１５は、コントロールインフォメーションの不連続な通信を通してＨＮＢ２３０−ａによって合図される（signaled）かもしれない（ＨＮＢ２３０−ａがパワーダウン状他でありながらシグナリングが生じるとすると、いくらかの遅延があるかもしれないが）。隣接するマクロセル／フェムトセルは、フェムトセルのＤＴＸコントロールインフォメーションについてセル内のＵＥ１１５に知らせるために、セル内でブロードキャストされた（broadcasted）それらのシステムインフォメーションブロック内のフェムトセルのＤＴＸスケジュールを含むことができる。一例において、ＨＮＢ２３０−ａは、フェムトセルが登録されたＵＥ１１５を有していないときに、静的なパワーダウンモードで動作するかもしれない。この場合、フェムトセルモジュール２４０ａは、ＵＥ１１５の存在が検出されたときに、ＨＮＢ２３０−ａをトリガしてアクティブになるかもしれない（及びインバンド信号を送信してフェムトセルの発見を容易にする）。
【００３７】
カバレージエリア（coverage area）で検出された（インバンド又はＯＯＢシグナリングを介して）ＵＥ１１５は、登録されるかもしれず（例えば、ＨＮＢ２３０−ａによって送信された連続又は不連続なインバンド信号を介して）、アイドルモードに入る。ＨＮＢ２３０−ａは、検出されたＵＥ１１５を登録するかもしれず、アクセスパラメータ及びスケジューリングインフォメーションをＵＥ１１５に送信するかもしれない（例えば、不連続なインバンド送信によって）。一例において、ＵＥは、６４０、１２８０、２５６０或いは５１２０ｍｓの不連続な受信サイクルを有するかもしれない。ＤＴＸモジュール２３５−ａは、ＨＮＢ２３０−ａに対するタイミングサイクルを設定するかもしれない。新しいＵＥ１１５がフェムトセルカバレージエリアに入ると、それらはＯＯＢシグナリングに基づくＨＮＢ２３０−ａウェイクアップ及び存在検出（presence detection）をトリガするかもしれず、或いはコントロールインフォメーションの不連続なインバンド送信に基づいて再トリガするかもしれない。
【００３８】
一例において、ＵＥ１１５の不連続な受信サイクルは、ＵＥ１１５ＩＤ（例えば、ＵＥのＩＭＳＩ）によって決定されるかもしれない。それ故、ウェイクアップ時間及び送信サイクルは、各ＵＥ１１５の不連続な受信サイクルにマッチするために適合される（tailored）かもしれず、それ故、そのようなＩＤによって要求される（dictated）かもしれない。しかしながら、これは、各登録されたＵＥ１１５に対して不連続な受信サイクルをマッチさせるために、ＨＮＢ２３０−ａにより頻繁にウェイクアップすることを要求するかもしれない。他の例において、ＵＥ１１５に対する不連続な受信サイクルは、ＤＴＸモジュール２３５−ａによって決定されるかもしれず、ＨＮＢ２３０−ａは、コントロールインフォメーションを送信して、各登録されたＵＥ１１５に対して不連続な受信サイクルをシンクロナイズさせるかもしれない。このアラインメントは、サイクル間の時間を延ばすことにより、さらなるパワーセービングを生じさせることができる。
【００３９】
ＵＥ１１５が接続モード（connected mode）に遷移するとき、不連続な受信サイクル時間は、モディファイされるかもしれない（それ故、ＨＮＢ２３０−ａに対する不連続な送信時間が変化する）。不連続な受信サイクルは、ＷＣＤＭＡ／ＨＳＰＡシステムに対する３ＧＧＰスタンダードで現在規定されているように以下のようであるかもしれない。
【００４０】
DRX cycle in CELL DCH - 8 to 40 ms
DRX cycle in CELL FACH - 40 to 320 ms
DRX cycle in CELL PCH - 320 to 2560 ms
一例において、上述したように、ＵＥ１１５の不連続な受信サイクルは、ＵＥ１１５ＩＤ（例えば、Cell Radio Network Identifier (C-RNTI) 或いは HS-DSCH Radio Network Identifier (HRNTI) in UMTS）によって決定されるかもしれない。それ故、ウェイクアップタイム及び送信サイクルは、そのようなＩＤによって要求される（dictated）かもしれない。しかしながら、これは、ＨＮＢ２３０−ａが接続モードにおいてより頻繁にウェイクアップし、各登録されたＵＥ１１５に対して不連続な受信サイクルにマッチすることを要求するかもしれない。他の例において、ＵＥ１１５に対する不連続な受信（ＤＲＸ）サイクルは、ＤＴＸモジュール２３５−ａによって決定されるかもしれず、ＨＮＢ２３０−ａは、コントロール情報を送信して、アイドル及び接続モードの両方において（いくらかのオーバーラップを伴って）各登録されたＵＥ１１５に対する不連続な受信サイクルをシンクロナイズさせるかもしれない。接続モードにおける或いは接続モード及びアイドルモードの両方におけるＵＥ１１５のこのアライメント（alignment）は、サイクルタイムを延ばすことによるさらなるパワーセービングを生むことができる。一例において、第１のＵＥ１１５が接続モードに入り、ＨＮＢによって指示されるＤＲＸサイクルがネットワークをアクセスするために用いられる。他のＵＥ１１５が接続モードに入ると、それらのＵＥ１１５に対するＤＲＸサイクルは、第１のＵＥ１１５にシンクロナイズされる。アイドルモードにおけるＵＥ１１５は、それらの受信サイクルが延ばされるかもしれないが、それらのＤＲＸサイクルを第１のＵＥ１１５にシンクロナイズさせるかもしれない。
【００４１】
ＵＥ１１５の遠方（perspective）から、それがフェムトセルカバレージエリアに近づくと、ＵＥ１１５のＯＯＢ無線（radio）は、ＯＯＢフェムトプロキシモジュール２４０−ａから信号を受信し始め、或いはＯＯＢフェムトプロキシモジュール２４０−ａをサーチするかもしれない。発見すると、ＵＥ１１５は、それがフェムトセルカバレージエリアに接近していることを認識するかもしれず、ＨＮＢ２３０−ａに対するスキャンが始まるかもしれない。
【００４２】
ＨＮＢ２３０−ａに対するスキャンは、異なった方法でインプリメントされるかもしれない。例えば、ＵＥ１１５のＯＯＢ無線（radio）によるフェムトプロキシモジュール２４０−ａの発見に起因して、ＵＥ１１５及びフェムトプロキシシステム２９０−ａは互いの接近に気付くかもしれない。ＵＥ１１５は、ＨＮＢ２３０−ａに対してスキャンする。或いは、ＨＮＢ２３０−ａは、ＵＥ１１５に対してポール（poll）でき（例えば、個別に、或いは全ての登録されたＵＥ１１５のラウンドロビンポーリング（round-robin polling）の一部として）、ＵＥ１１５はポールに対して聞き耳を立てる（listen）。ＨＮＢ２３０−ａに対するスキャンが成功したとき、ＵＥ１１５はＨＮＢ２３０−ａに登録するかもしれない。
【００４３】
ＵＥ１１５がフェムトセルカバレージエリア内にあり、ＨＮＢ２３０−ａに登録されているとき、ＵＥ１１５はＨＮＢ２３０−ａを介してマクロ通信ネットワーク１００−ａと通信しているかもしれない。上述したように、ＵＥ１１５は、フェムトプロキシモジュール２４０−ａがマスターとして振る舞うためのピコネット（piconet）のスレーブ（slave）であるかもしれない。例えば、ピコネットは、Ｂｌｕｅｔｏｏｔｈ（登録商標）を用いて動作するかもしれず、ＨＮＢ２３０−ａ内のＢｌｕｅｔｏｏｔｈ（登録商標）無線（radio）（例えば、トランシーバモジュール２１０の一部としてインプリメントされる）によって容易にされるＢｌｕｅｔｏｏｔｈ（登録商標）通信リンクを含むかもしれない。
【００４４】
ＨＮＢ２３０−ａは、ベースステーション或いは無線アクセスポイント機器の種々の構成を有するかもしれない。ここで用いられるように、ＨＮＢ２３０−ａは、種々のターミナル（例えば、クライアントデバイス（ＵＥ１１５等）、プロキシミティエイジェントデバイス等）と通信するデバイスであるかもしれず、ベースステーション、ＮｏｄｅＢ、及び／又は他の類似するデバイスの幾つか或いは全ての機能を含むかもしれない。ＨＮＢ２３０−ａとしてここで参照されるが、ここでのコンセプトは、フェムトセル構成（例えば、ピコセル、マイクロセル等）以外のアクセスポイント構成に適用可能であるかもしれない。ＨＮＢ２３０−ａの例は、対応するセルラーネットワーク（例えば、マクロ通信ネットワーク１００−ａ或いはその一部）の本来の（native）プロトコル及び通信周波数を利用し、ＨＮＢ２３０−ａに関連付けられたフェムトセルカバレージエリア内の通信を容易にする（例えば、エリアの改善されたカバレージを提供する、増加したキャパシティを提供する、増加した帯域幅を提供する）。
【００４５】
ＨＮＢ２３０−ａは、図２Ａに明確に示されていない他のインターフェースと通信するかもしれない。例えば、ＨＮＢ２３０−ａは、本来の（native）セルラー無線リンク（例えば、「インバンド」通信リンク）を通して、ＵＥ１１５のような種々の適切な構成のデバイスと通信するためのトランシーバモジュール２１０（例えば、動作時に相対的に多くの電力を消費するセルラーネットワーク通信テクニックを用いた特別なトランシーバ）の一部として、本来の（native）セルラーインターフェースと通信するかもしれない。そのような通信インターフェースは、限定されるものではないが、ワイドバンドコード分割マルチプルアクセス（Ｗ−ＣＤＭＡ）、ＣＤＭＡ２０００、グローバルシステムフォウモバイルテレコミュニケーション（ＧＳＭ（登録商標））、ワールドワイドインターオペラビリティフォウマイクロウェーブアクセス（ＷｉＭａｘ）、及び無線ＬＡＮ（ＷＬＡＮ）を含む種々の通信スタンダードにしたがって動作するかもしれない。また或いは、ＨＮＢ２３０−ａは、種々のデバイス或いは他のネットワークと通信するためのトランシーバモジュール２１０の一部として（例えば、インターネット介した通信を提供するバックハウル（backhaul）インターフェース、パケットスイッチトネットワーク、スイッチトネットワーク、ラジオネットワーク、コントロールネットワーク、有線リンク、等）、１以上のバックエンドネットワークインターフェースと通信するかもしれない。
【００４６】
上述したように、ＨＮＢ２３０−ａは、直接的又は間接的に、トランシーバモジュール２１０及び／又はフェムトプロキシモジュール２４０−ａの一部として、１以上のＯＯＢインターフェースと通信するかもしれない。例えば、ＯＯＢインターフェースは、動作時に相対的に少ない電力を消費するトランシーバを含むかもしれず、及び／又は、インバンドトランシーバに関してインバンドスペクトラムにおける干渉をほとんど生じさせないかもしれない。そのようなＯＯＢインターフェースは、ＵＥ１１５のＯＯＢ無線（radio）のような種々の適切に構成されたデバイスに関して、低電力無線通信を提供する実施形態にしたがって用いられるかもしれない。ＯＯＢインターフェースは、例えば、時分割デュプレックス（ＴＤＤ）スキームを用いるＢｌｕｅｔｏｏｔｈ（登録商標）コンプライアント（compliant）トランシーバであるかもしれない。ＯＯＢリンクは、ウルトラワイドバンド（ＵＷＢ）リンク、ＩＥＥＥ８０２．１１リンク、ＺｉｇＢｅｅリンク、ＩＰトンネル、有線リンク等であるかもしれない。さらに、バーチャルＯＯＢリンクは、バーチャルＯＯＢリンクとして振る舞うワイヤレスワイドエリアネットワーク（ＷＷＡＮ）リンク（例えば、ＷＷＡＮリンク上のＩＰトンネル）上のＩＰベースメカニズムを利用するようにして用いられるかもしれない。
【００４７】
ここで用いられる「ハイパワー」及び「ロウパワー」なるタームは、相対的なタームであり、電力消費の特定のレベルを暗示するものではない。したがって、ＯＯＢデバイス（例えば、ＯＯＢフェムトプロキシモジュール２４０−ａ）は、動作の所与の時間に対して本来の（native）セルラーインターフェースよりも少ない電力を消費するかもしれない（例えば、マクロセルとの通信に対して）。いくつかのインプリメンテーションにおいて、ＯＯＢインターフェースは、マクロ通信インターフェースと比較して、相対的に低い帯域幅の通信、相対的に短いレンジの通信、及び／又は、相対的に低い消費電力を提供するかもしれない。ＯＯＢデバイス及びインターフェースが、低電力、短いレンジ、及び／又は低帯域幅であるという制限はない。
【００４８】
フェムトプロキシモジュール２４０−ａは、種々のタイプのＯＯＢ機能を提供するかもしれず、種々の方法でインプリメントされるかもしれない。フェムトプロキシモジュール２４０−ａは、スタンドアロンプロセッサベースシステム、或いはホストデバイスとともに集積化されたプロセッサベースシステム（例えば、アクセスポイント、ゲートウェイ、ルーター、スイッチ、リピータ、ハブ、コンセントレータ等）のような、任意の種々の構成を有しているかもしれない。
【００４９】
あるフェムトプロキシモジュール２４０−ａは、種々のデバイス或いはネットワークと通信するためのトランシーバモジュール２１０（例えば、パケットスイッチトネットワークインターフェース、スイッチトネットワークインターフェース、ラジオネットワークインターフェース、コントロールネットワークインターフェース、有線リンク等）の一部として、１以上のバックエンドネットワークインターフェースを含んでいるかもしれない。例えば、フェムトプロキシモジュール２４０−ａは、バックエンドネットワークインターフェースを通して、ＨＮＢ２３０−ａ、及び／又は、マクロ通信ネットワーク１００−ａの他のマクロＢＴＳと通信するかもしれない。ＨＮＢ２３０−ａのようなホストデバイスとともに集積化されたフェムトプロキシモジュール２４０−ａは、バックエンドネットワークインターフェースの代わりの他のそのような通信インターフェースや内部バスを用いて、フェムトプロキシモジュール２４０−ａと他のネットワーク或いはデバイスとの間での通信を提供するかもしれない。さらに或いは、ＯＯＢインターフェース、ネイティブセルラーインターフェース等のような他のインターフェースが、フェムトプロキシモジュール２４０−ａとＨＮＢ２３０−ａ及び／又は他のデバイス又はネットワークとの間の通信を提供するために用いられるかもしれない。
【００５０】
種々の通信ファンクション（例えば、ＨＮＢ２３０−ａ及び／又はフェムトプロキシモジュール２４０−ａのそれらを含む）は、通信マネージメントサブシステム２５０を用いて管理される（managed）かもしれない。例えば、通信マネージメントサブシステム２５０は、マクロセル（例えば、ＷＷＡＮ）、１以上のＯＯＢネットワーク（例えば、ピコネット、ＵＥ１１５ＯＯＢラジオ、他のフェムトプロキシ、ＯＯＢビーコン等）、１以上の他のフェムトセル、ＵＥ１１５等との通信を少なくとも部分的に扱う（handle）かもしれない。通信マネージメントサブシステム２５０は、バスを介してフェムトプロキシシステム２９０−ａの他のコンポーネントの幾つか或いは全てと通信するフェムトプロキシシステム２９０−ａのコンポーネントかもしれない。
【００５１】
種々の他のアーキテクチャが、図２Ａによって示されたもの以外にも可能である。ＨＮＢ２３０−ａ及びフェムトプロキシモジュール２４０−ａは、一緒に配置されるかもしれないし配置されないかもしれず、単一のデバイスに集積化されるかもしれないし集積化されないかもしれず、コンポーネントをシェアするかもしれないしシェアしないかもしれない。例えば、図２Ａのフェムトプロキシシステム２９０−ａは、アンテナ２０５、トランシーバモジュール２１０、メモリ２１５，及びプロセッサモジュール２２５を含むコンポーネントを少なくとも部分的にシェアする集積化されたＨＮＢ２３０−ａ及びフェムトプロキシモジュール２４０−ａを有する。
【００５２】
図２Ｂは、図２Ａに示されたアーキテクチャとは異なったフェムトプロキシシステム２９０−ｂのアーキテクチャを含む無線通信システム２００−ｂのブロック図を示している。フェムトプロキシシステム２９０−ａと同様に、フェムトプロキシシステム２９０−ｂは、フェムトプロキシモジュール２４０−ｂ及びＨＮＢ２３０−ｂを含んでいる。しかしながら、システム２９０−ａとは異なり、フェムトプロキシモジュール２４０−ｂ及びＨＮＢ２３０−ｂのそれぞれは、それら自身のアンテナ２０５、トランシーバモジュール２１０、メモリ２１５、及びプロセッサモジュール２２５を有している。ＤＴＸモジュール２３５−ａの機能は、この実施形態中のＨＮＢ２３０−ｂに集積化されている。トランシーバモジュール２１０のいずれも、それらの対応するアンテナ２０５を介してＵＥ１１５と通信するように構成されている。ＨＮＢ２３０−ｂのトランシーバモジュール２１０−１は、マクロ通信ネットワーク１００−ｂとの双方向通信が示されている。
【００５３】
説明目的にため、フェムトプロキシシステム２９０−ａは、分離した通信マネージメントサブシステム２５０なしに示されている。いくつかの構成において、通信マネージメントサブシステム２５０は、フェムトプロキシモジュール２４０−ｂ及びＨＮＢ２３０−ｂの両方に提供されている。他の構成において、通信マネージメントサブシステム２５０は、フェムトプロキシモジュール２４０−ｂの一部としてインプリメントされる。さらに他の構成において、通信マネージメントサブシステム２５０の機能は、フェムトプロキシモジュール２４０−ｂ及びＨＮＢ２３０−ｂの一方又は両方のコンピュータプログラム製品（例えば、メモリ２１５内のソフトウェア２２０として記憶されている）としてインプリメントされている。
【００５４】
より具体的に上述されたように、フェムトプロキシシステム２９０−ｂは、フェムトプロキシモジュール２４０−ｂ及びＨＮＢ２３０−ｂの機能の両方を提供するように構成されている。ＨＮＢ２３０−ｂ及びフェムトプロキシモジュール２４０−ｂは、ＨＮＢ２３０−ａ及びフェムトプロキシモジュール２４０−ａを参照して説明されたように、同一の或いは類似する機能を有しているかもしれない。それ故、一例において、フェムトプロキシモジュール２４０−ｂは、アウトオブバンド（ＯＯＢ）信号を用いてフェムトセル内のＵＥ１１５の存在を検出するかもしれない。ＨＮＢ２３０−ｂは、検出された存在（presence）に応答する（responsive to）フェムトセルでＵＥ１１５を登録するかもしれず、登録されたＵＥ１１５に向けられた（directed）不連続なインバンド送信を発生するかもしれない。
【００５５】
ＨＮＢ２３０−ｂは、多くの異なる不連続な送信モードで動作するかもしれず、周期的なインフォメーションを送信するかもしれない。不連続な送信モードは、ＨＮＢ２３０−ｂが送信バースト（burst）をアクティブに発生するウェイクアップ状態、及びＨＮＢ２３０−ｂがパワーオフで非活性であるパワーダウン状態を含むかもしれず、そうでなければ低減されたパワーモードで動作するかもしれない。ウェイクアップ及びパワーダウン状態は交互であり、サイクルタイムは種々のファクタに依存して変化するかもしれない。ＤＴＸモジュール２３５−ａは、サイクルタイミングを設定するかもしれない。種々の異なったインフォメーションは、ウェイクアップ状態の最中に送信されるかもしれず、コントロールインフォメーション（例えば、ＳＩＢ及び／又はパイロット信号）、不連続な送信スケジューリングインフォメーション（例えば、スタートタイム及び／又はサイクル期間）、及び受信された通信インフォメーション（例えば、音声データ、メッセージデータ等）を含む。
【００５６】
ＨＮＢ２３０−ｂは、フェムトプロキシモジュール２４０−ｂからのＯＯＢ信号の送信とともに、コントロールインフォメーション（例えば、ＳＩＢ／パイロット信号を含む）との不連続なインバンド送信を行うかもしれない。ＵＥ１１５は、ＯＯＢ信号或いは不連続なインバンドパイロット信号送信のいずれかを受信することに応答するフェムトセルを発見するかもしれない。それ故、ＨＮＢ２３０−ｂは、フェムトプロキシシステム２９０−ｂからのインバンド又はＯＯＢ信号のいずれかを受信したＵＥ１１５を登録するかもしれない。ＵＥ１１５の存在がＯＯＢ信号を介して検出されるとすると、ＨＮＢ２３０−ｂからの不連続なインバンド送信は、一時的にディセーブル（disable）であるかもしれず、ＨＮＢ２３０−ｂは、フェムトセルを発見するためにＵＥ１１５に合図する（signal）ために連続的なインバンド送信を実行するかもしれない。
【００５７】
上述したように、ＨＮＢ２３０−ｂは、ＯＯＢ信号を用いた近接（proximity）の検出に応答して不連続な送信サイクルをモディファイするかもしれない。例えば、ＨＮＢ２３０−ｂは、フェムトセルの発見を容易にするために用いられる不連続なインバンド送信の不連続なサイクルタイムを、登録されたＵＥ１１５への不連続なインバンド送信に対する異なったサイクルタイムに変更するかもしれない。ＵＥ１１５がアイドルモードにあるか接続モードにあるかに依存して異なる長さのサイクル期間であるかもしれず、実行される通信のタイプに依存して接続モード内で異なったサイクル期間であるかもしれない。
【００５８】
ＵＥが全く登録されなかったときに、ＯＯＢ信号がＵＥ１１５を検出するために送信されながら、ＨＮＢ２３０−ｂが静的な不活性な状態に遷移するかもしれず、ＵＥ１１５の存在が検出されるまでインバンド送信が中止されることは、特筆に値する。
【００５９】
図３を参照すると、ブロック図は、プロセッサモジュール３００のコンポーネントの例を示している。プロセッサモジュール３００は、フェムトセルに用いられるかもしれず（例えば、ｈｏｍｅＮｏｄｅＢにおいて）、図２Ａ及び２Ｂのフェムトプロキシシステムを参照して説明された機能の幾つか或いは全てを有するかもしれない。それ故、プロセッサモジュール３００は、図２Ａ及び２ＢのＨＮＢ２３０、ＤＴＸモジュール２３５−ａ、フェムトプロキシモジュール２４０、及び通信マネージメントサブシステム２５０の機能の幾つか或いは全てを含むかもしれない。プロセッサモジュール３００は、ＷＷＡＮ通信コンロローラ３１０、ＵＥコントローラ３２０、ＨＮＢ２３０−ｃ、ＤＴＸモジュール２３５−ｂ、及びフェムトプロキシモジュール２４０−ｃを含んでいる。ＷＷＡＮ通信コンロローラ３１０は、指示されたＵＥ１１５に対するＷＷＡＮ通信（例えば、ページ）を受信するように構成されている。ＵＥコントローラ３２０は、ＨＮＢ２３０−ｃ及び／又はフェムトプロキシモジュール２４０−ｃのオペレーションへの影響を含む通信をどのように扱うかを決定する。ＨＮＢ２３０−ｃ、ＤＴＸモジュール２３５−ｂ及びフェムトプロキシモジュール２４０−ｃは、図２Ａ及び２Ｂを参照して説明されたＨＮＢ２３０、ＤＴＸモジュール２３５−ａ、及びフェムトプロキシモジュール２４０と同じ又は類似する機能を有しているかもしれない。
【００６０】
図３のプロセッサモジュール３００のコンポーネントは、ハードウェア内の適用可能なファンクションの幾つか又は全てを実行するように適応された１以上の特定用途向け集積回路（ＡＳＩＣ）によって、個別に又は集合的にインプリメントされるかもしれない。或いは、ファンクションは、１以上の集積回路上の１以上の他のプロセッシングユニット（又はコア）によって実行されるかもしれない。他の実施形態において、他のタイプの集積回路が用いられるかもしれず（例えば、ストラクチャド／プラットフォームＡＳＩＣ、フィールドプログラマブルゲートアレイ（ＦＰＧＡ）、及び他のセミカスタムＩＣ）、それらは公知の任意の方法でプログラムされるかもしれない。各ユニットのファンクションは、全体又は一部が、メモリに入れられたインストラクション、１以上の一般的な或いは特定用途向けのプロセッサによって実行されるようにフォーマットされて、インプリメントされているかもしれない。各モジュールは、メモリを含むかもしれず、アクセスされたメモリ（例えば、図２Ａ又は２Ｂのメモリ２１５）は、プロセッサモジュール３００をオン又はオフさせるかもしれない。
【００６１】
図２Ａ及び２ＢのＨＮＢ２３０は、マクロ通信ネットワーク１００−ａへの通信リンクを提供するものとして示されている。しかしながら、ＨＮＢ２３０は、多くの異なったタイプのネットワーク及び／又はトポロジーを介して通信機能を提供するかもしれない。例えば、図２Ａ、図２Ｂ或いは図３のＨＮＢ２３０は、セルラーテレフォンネットワーク、セルラーデータネットワーク、ローカルエリアネットワーク（ＬＡＮ）、メトロポリタンエリアネットワーク（ＭＡＮ）、ワイドエリアネットワーク（ＷＡＮ）、パブリックスイッチトテレフォンネットワーク（ＰＳＴＮ）、インターネット等に対する無線インターフェースを提供するかもしれない。
【００６２】
上述したように、フェムトプロキシシステムは、ＵＥ１１５を含むクライアントデバイスと通信するように構成されているかもしれない。図４は、図２Ａ及び図２Ｂのフェムトプロキシシステム２９０を用いるための、或いは図３のフェムトセルをインプリメントするプロセッサモジュール３００における、モバイルユーザー機器（equipment）（ＵＥ）１１５−ａのブロック図４００を示している。ＵＥ１１５−ａは、パーソナルコンピュータ（例えば、ラップトップコンピュータ、ネットブックコンピュータ、タブレットコンピュータ等）、セルラーテレフォン、ＰＤＡ、デジタルビデオレコーダー（ＤＶＲ）、インターネット機器、ゲームコンソール、ｅ−リーダ等のような、任意の種々の構成を有するかもしれない。ＵＥ１１５−ａは、モバイルオペレーションを容易にするために、スモールバッテリのような内部電源（図示せず）を有するモバイル構成を有するかもしれない。
【００６３】
ＵＥ１１５−ａは、アンテナ４０５、トランシーバモジュール４１０、メモリ４１５、及びプロセッサモジュール４２５を含み、それらは互いに（１以上のバスを介して）直接的又は間接的に通信をするかもしれない。トランシーバモジュール４１０は、上述したように、１以上のネットワークにより、アンテナ４０５及び／又は１以上の有線又は無線リンクを介して、双方向に通信するように構成されている。例えば、トランシーバモジュール４１０は、マクロ通信ネットワーク（例えば、図１、図２Ａ或いは図２Ｂの通信システム１００）のＢＴＳ１０５により、特に、少なくとも１つのフェムトセル（例えば、図２Ａ、図２Ｂ或いは図３のＨＮＢ２３０）により、双方向に通信するように構成されている。
【００６４】
一般に上記で参照したように、トランシーバモジュール４１０は、１以上のＯＯＢリンク上で、さらに通信するように構成されているかもしれない。例えば、トランシーバモジュール４１０は、ＨＮＢ２３０へのインバンド（例えば、マクロ）リンク及びフェムトプロキシモジュールへの少なくとも１つのＯＯＢリンク上で、フェムトプロキシシステム２９０（例えば、図２Ａ及び２Ｂを参照して説明されたような）と通信するかもしれない。トランシーバモジュール４１０は、パケットを変調し、変調されたパケットを送信用のアンテナ４０５に供給し、アンテナ４０５から受信したパケットを復調するように構成されたモデムを含んでいるかもしれない。ＵＥ１１５−ａは単一のアンテナを含んでいるかもしれないが、ＵＥ１１５−ａは典型的には複数のリンクに対する複数のアンテナ４０５を含んでいる。
【００６５】
メモリ４１５は、ランダムアクセスメモリ（ＲＡＭ）及びリードオンリメモリ（ＲＯＭ）を含むかもしれない。メモリ４１５は、プロセッサモジュール４２５にここで説明された種々のファンクション（例えば、コールプロセッシング、データベースマネージメント、メッセージルーティング等）を実行させるように構成されたインストラクションを含んだ、コンピュータ読み取り可能な、コンピュータ実行可能なソフトウェアコード４２０を記憶しているかもしれない。或いは、ソフトウェア４２０は、プロセッサモジュール４２５によって直接的に実行可能ではないかもしれず、例えばコンパイル及び実行されたときに、ここで説明されたファンクションをコンピュータに実行させるように構成されているかもしれない。
【００６６】
プロセッサモジュール４２５は、インテリジェントハードウェアデバイス、例えば、インテル（登録商標）コーポレーションやＡＭＤ（登録商標）で製造されたようなセントラルプロセッシングユニット（ＣＰＵ）、マイクロコントローラ、特定用途向け集積回路（ＡＳＩＣ）等を含むかもしれない。プロセッサモジュール４２５は、マイクロフォンを介してオーディオを受信し、オーディオを受信されたオーディオを表すパケット（例えば、長さ３０ｍｓ）に変換し、オーディオパケットをトランシーバモジュール４１０に提供し、ユーザーが話しているか否かの指標を提供するように構成されたスピーチエンコーダ（図示せず）を含んでいるかもしれない。或いは、エンコーダは、ユーザーが話しているか否かの指標を提供するパケットそれ自身のプロビジョン又は保留（withhold）／抑圧（suppression）を伴う、トランシーバモジュール４１０へのパケットの提供だけであるかもしれない。
【００６７】
図４の構成によれば、ＵＥ１１５−ａは、さらに通信マネージメントサブシステム４４０を含んでいる。通信マネージメントサブシステム４４０は、マクロ通信ネットワーク（例えば、ＷＷＡＮ）、１以上のＯＯＢネットワーク（例えば、ピコネット、フェムトプロキシモジュール２４０等）、１以上のフェムトセル（例えば、ＨＮＢ２３０）、他のＵＥ１１５（例えば、第２のピコネットのマスターとして振る舞う）により、通信を管理する（manage）かもしれない。例えば、通信マネージメントサブシステム４４０は、バスを介してＵＥ１１５−ａの他のコンポーネントの幾つか又は全てと通信するＵＥ１１５−ａのコンポーネントであるかもしれない。或いは、通信マネージメントサブシステム４４０の機能は、トランシーバモジュール４１０のコンポーネントとして、コンピュータプログラム製品として、及び／又は、プロセッサモジュール４２５の１以上のコントローラエレメントとして、インプリメントされるかもしれない。
【００６８】
ＵＥ１１５−ａは、マクロ通信ネットワーク（例えば、セルラー）及び１以上のＯＯＢネットワークの両者とインターフェースするための通信機能を含むかもしれない。例えば、いくつかのＵＥ１１５−ａは、ネイティブセルラー無線リンクを通して他の適切に構成されたデバイスと通信するための（例えば、ＨＮＢ２３０を介してマクロ通信ネットワークとリンクを確立するための）通信マネージメントサブシステム４４０（例えば、動作時に比較的多くの電力を消費するセルラーネットワーク通信テクニックを利用したトランシーバ）或いはトランシーバモジュール４１０の一部として、ネイティブセルラーインターフェースを含んでいる。ネイティブセルラーインターフェースは、限定されるものではないが、ＷＣＤＭＡ、ＣＤＭＡ２０００、ＧＳＭ（登録商標）、ＷｉＭａｘ、及びＷＬＡＮを含む１以上の通信スタンダードにしたがって動作するかもしれない。以下に述べるように、非ＯＯＢイネーブルデバイスがインバンドＤＴＸ信号を介してシステムを検出することは、特筆する価値がある。
【００６９】
さらに、ＵＥ１１５−ａは、無線リンクを通して他の適切に構成されたデバイスと通信するためのトランシーバモジュール４１０及び／又は通信マネージメントサブシステム４４０（例えば、動作時に相対的に少ない電力を消費する、及び／又は、インバンドスペクトラムよりも少ない干渉を生じるトランシーバ）の一部としてインプリメントされるＯＯＢインターフェースを含むかもしれない。適切なＯＯＢ通信インターフェースの一例は、時分割デュプレックス（ＴＤＤ）スキームを用いるＢｌｕｅｔｏｏｔｈ（登録商標）−コンプライアントトランシーバである。
【００７０】
図５Ａは、フェムトセルでの不連続送信に対するタイミング図５００−ａを示している。タイミング図は、ＵＥがアイドルモードのときの例示的なタイミングスキームを示している。タイミング図５０５は、ＨＮＢからの不連続な送信に対するウェイクアップタイミングを示している。これは、図２Ａ、図２Ｂ及び図３のＨＮＢ２３０であるかもしれない。タイミング図５１５−ａ及び５１５−ｂは、ＵＥ（図４のＵＥ１１５−ａのような）での不連続な受信に対するウェイクアップタイミングを示している。
【００７１】
この例において、各ＵＥの不連続な受信サイクル５２０は、ＵＥのＩＤ（例えば、ＭＡＣアドレス）によって決定される。それ故、受信サイクルはオーバーラップしないかもしれない。それ故、ＨＮＢに対する不連続な送信サイクル５１０及びウェイクアップタイムは、各ＵＥ１１５の不連続な受信サイクルにマッチするように適合され、それ故、そのようなＩＤによって規定される（dictated）。しかしながら、これは、ＨＮＢ２３０−ａに対して、より頻繁にウェイクアップして、各登録されたＵＥに対して不連続な受信サイクルにマッチさせることを要求するかもしれず、電力を消費し、不要な干渉を生じさせる。この場合、不連続な受信サイクルタイムは、ＨＮＢに対するウェイクアップサイクルをドライブさせている。
【００７２】
図５Ｂは、代替的なスキームによる、フェムトセルでの不連続送信に対するタイミング図５００−ｂを示している。タイミング図５００−ｂは、ＵＥがアイドルモードのときの例示的なタイミングを示している。タイミング図５２５は、ＨＮＢからの不連続な送信に対するウェイクアップタイミングを示している。これは、図２Ａ、図２Ｂ及び図３のＨＮＢ２３０であるかもしれない。タイミング図５３５−ａ及び５３５−ｂは、ＵＥ（図４のＵＥ１１５−ａのような）での不連続な受信に対するウェイクアップタイミングを示している。
【００７３】
この例において、ＵＥに対する不連続な受信サイクル５４０は、ＨＮＢ（ＵＥのＩＤの代わり）によって決定される。ＨＮＢは、各登録されたＵＥに対する不連続な受信サイクル５４０に対するタイミング及びサイクル長をシンクロナイズさせるために、コントロールインフォメーションを送信するかもしれない。このアラインメントは、ＨＮＢサイクル５３０を延ばし、ウェイクアップ間の時間を増加させる。これは、さらなるパワーセービングを生じさせ、セルラー間の干渉を減少させる。
【００７４】
図５Ｃは、他の代替的なスキームによる、フェムトセルでの不連続送信に対するタイミング図５００−ｃを示している。タイミング図は、１つのＵＥがアイドルモードで、１つのＵＥが接続モードのときの、例示的なタイミングを示している。タイミング図５５５は、ＨＮＢからの不連続な送信に対するウェイクアップタイミングを示している。これは、図２Ａ、図２Ｂ及び図３のＨＮＢ２３０であるかもしれない。タイミング図５６５は、アイドルモードのＵＥでの不連続な受信に対するウェイクアップタイミングを示し、タイミング図５７５は、接続モードのＵＥでの不連続な受信に対するウェイクアップタイミングを示している。
【００７５】
この例において、ＵＥに対する不連続な受信サイクルは、ＨＮＢ（ＵＥのＩＤの代わり）によって決定されるかもしれない。ＨＮＢは、アクロスモードであっても、各登録されたＵＥに対する不連続な受信サイクル６４０に対するタイミング及びサイクル長をシンクロナイズさせるために、コントロールインフォメーションを送信するかもしれない。一例において、接続モードスケジュールがまず決定され、それからアイドルモードスケジュールがまず決定される。これは、フェムトセルへの／からのトラフィックの送信／受信をしている接続モードＵＥへのディスラプション（disruption）を避けるためである。それ故、フェムトセルにおける接続モードにおいて、ＵＥへのダウンストリーム送信に対する不連続なサイクルタイム及びウェイクアップ期間タイミングが、まず設定されるかもしれない。そして、フェムトセルにおけるアイドルモードにおいて、ＵＥに対する不連続なサイクルタイム及びウェイクアップ期間タイミングが設定され、アイドルモードにおけるウェイクアップ期間を接続モードにおけるウェイクアップ期間のサブセットに実質的にオーバーラップさせるかもしれない。このアラインメントは、オーバーラップを許容し、ＨＮＢサイクルを延ばすかもしれず、ウェイクアップ間の時間及び電力効率を増加させるかもしれない。これは、さらなるパワーセービングを生じさせ、セルラー間の干渉を減少させることができる。
【００７６】
図６は、フェムトセルでの不連続なダウンストリーム送信の方法６００のフローチャートである。方法６００は、例えば、全体又は一部が、図２Ａ又は図２Ｂのフェムトプロキシシステム２９０、或いは図３のプロセッサ３００によって実行されるかもしれない。方法６００は、より具体的には、図２Ａ、図２Ｂ或いは図３のＨＮＢ２３０及びフェムトプロキシモジュール２４０によって実行されるかもしれない。
【００７７】
ステージ６０５では、ＯＯＢフェムトプロキシを用いて、フェムトセルカバレージエリア内のＵＥの存在（presence）を検出される。ステージ６１０では、検出された存在に応答するフェムトセルでＵＥを登録される（registered）。ブロック６１５では、登録されたＵＥへの不連続なインバンド送信が実行され、不連続な送信はウェイクアップ及びパワーダウン状態のシリーズ（series of wake-up and powered-down state）で構成される。
【００７８】
図７は、ダイナミックにタイミングサイクルを変化させることを用いたフェムトセル内の不連続なダウンストリーム通信の方法７００のフローチャートである。方法７００は、例えば、全体又は一部が、図２Ａ又は図２Ｂのフェムトプロキシシステム２９０、或いは図３のプロセッサ３００によって実行されるかもしれない。方法７００は、より具体的には、図２Ａ、図２Ｂ或いは図３のＨＮＢ２３０及びフェムトプロキシモジュール２４０によって実行されるかもしれない。
【００７９】
ステージ７０５では、ＯＯＢ信号が、フェムトプロキシを用いて、フェムトセルカバレージエリア内のＵＥの存在を検出するために送信される。ステージ７１０では、ＯＯＢシグナリングとともに、不連続なインバンドコントロールインフォメーションが送信され、ＵＥによるフェムトセルの発見を容易にする。ステージ７１５では、フェムトセル内のＵＥの存在が、ＯＯＢフェムトプロキシを用いて検出される。ステージ７２０では、不連続なインバンドコントロールインフォメーションの送信が、ＵＥの検出に応答してディセーブルにされる。ステージ７２５では、ＵＥが、インバンド信号を用いて、検出された存在に応答するフェムトセルで登録される。ステージ７３０では、登録されたＵＥへの不連続なインバンド送信が、インバンドパイロット信号に対して、不連続な送信とは異なるサイクルで実行される。
【００８０】
図８は、種々のタイミングサイクルアラインメントテクニックを用いたフェムトセル内の不連続なダウンストリーム送信の方法８００のフローチャートである。方法８００は、例えば、全体又は一部が、図２Ａ又は図２Ｂのフェムトプロキシシステム２９０、或いは図３のプロセッサ３００によって実行されるかもしれない。方法８００は、より具体的には、図２Ａ、図２Ｂ或いは図３のＨＮＢ２３０及びフェムトプロキシモジュール２４０によって実行されるかもしれない。
【００８１】
ステージ８０５では、ＯＯＢ信号が、フェムトプロキシを用いてフェムトセルカバレージエリア内のＵＥの存在を検出するために送信される。ステージ８１０では、ＯＯＢシグナリングとともに、不連続なインバンドコントロールインフォメーションが送信され、ＵＥによるフェムトセルの発見を容易にする。ステージ８１５では、インバンドコントロールインフォメーションのＤＴＸスケジュールが隣接するセルに送信される。ステージ８２０では、フェムトセル内のＵＥの存在が、ＯＯＢフェムトプロキシを用いて検出される。ステージ８２５では、不連続なインバンドコントロールインフォメーションの送信が、ＵＥの検出に応答してディセーブルにされる。ステージ８３０では、インバンド信号を用いて、検出された存在に応答するフェムトセルでＵＥが登録される。ステージ８３５では、他のＵＥがフェムトセル内に存在するか否かの決定がなされる。もしそうでなければ、ステージ８４０において、フェムトプロキシがＤＴＸスケジュールに対するタイミングを選択する。
【００８２】
もしＵＥが存在すれば、フェムトセル内のＵＥがアイドルモードであるか接続モードであるかの決定がなされる。ステージ８４５では、もし全てがアイドルモードであれば、フェムトプロキシがアイドルモードＵＥに対するアラインされたＤＲＸスケジュールを選択し、スケジュールにしたがってウェイクアップする。ステージ８５０では、もし全てが接続モードであれば、フェムトプロキシが接続モードＵＥに対するアラインされたＤＲＸスケジュールを選択し、フェムトプロキシがスケジュールにしたがってウェイクアップする。ステージ８５５では、アイ度モード及び接続モードであれば、フェムトプロキシがまず接続モードＵＥに対するアラインされたＤＲＸスケジュール、アイドルモードＵＥに対するアラインされたＤＲＸスケジュールを選択し、フェムトプロキシがスケジュールにしたがってウェイクアップする。
【００８３】
図９は、異なった構成のＵＥに対するフェムトセル内の不連続なダウンストリーム送信の方法のフローチャートである。方法９００は、例えば、全体又は一部が、図２Ａ又は図２Ｂのフェムトプロキシシステム２９０、或いは図３のプロセッサ３００によって実行されるかもしれない。方法９００は、より具体的には、図２Ａ、図２Ｂ或いは図３のＨＮＢ２３０及びフェムトプロキシモジュール２４０によって実行されるかもしれない。
【００８４】
ステージ９０５では、非ＯＯＢリンクイネーブルＵＥ（non-OOB link-enabled UE）が、隣接するセルからフェムトセルのインバンドＤＴＸスケジュールを受信する。ステージ９１０では、非ＯＯＢリンクイネーブルＵＥが、不連続なインバンド信号を用いて、そのカバレージエリア内のフェムトセルの存在を検出する。ステージ９１５では、ＯＯＢリンクイネーブルＵＥが、ＯＯＢ信号を用いて、そのカバレージエリア内のフェムトセルの存在を検出する。ＵＥが非ＯＯＢリンクイネーブルであるかＯＯＢリンクイネーブルであるかによらず、フェムトセルによる登録においてオプションは同じであるかもしれない。各タイプのＵＥに対して、ステージ９２０では、ＵＥが、アイドルモードにおいて、ＵＥＩＤ又はフェムトセルの決定されたＤＲＸサイクルで動作するかもしれない。また、各タイプのＵＥは、ステージ９２５において、接続モードにおいて、ＵＥＩＤ又はフェムトセルの決定されたＤＲＸサイクルで動作するかもしれない。
【００８５】
図１０は、フェムトセル内の不連続なインバンド送信に対するタイミングをシンクロナイズさせる方法１０００のフローチャートである。方法１０００は、例えば、全体又は一部が、図２Ａ又は図２Ｂのフェムトプロキシシステム２９０、或いは図３のプロセッサ３００によって実行されるかもしれない。方法１０００は、より具体的には、図２Ａ、図２Ｂ或いは図３のＦＡＰ２３０及びフェムトプロキシモジュール２４０によって実行されるかもしれない。
【００８６】
ステージ１００５では、フェムトプロキシを用いてフェムトセル内のＵＥの存在を検出するためにＯＯＢ信号が送信される。ステージ１０１０では、ＵＥの存在が検出される前に、インバンド送信が静的な非活性化状態（static deactivated state）に移動する。ステージ１０１５では、ＯＯＢフェムトプロキシを用いて、フェムトセル内のＵＥの存在が検出される。ステージ１０２０では、インバンド送信が活性化され、ＵＥにフェムトセルベースステーションを発見させる合図をする（signal）。ステージ１０２５では、インバンド信号を用いてフェムトセルで各ＵＥが登録される。ステージ１０３０では、登録されたＵＥへの不連続なインバンド送信に対するタイミングがシンクロナイズされる。
【００８７】
説明に関する考察
添付図面に関連して上述された詳細な説明は、例示的な実施形態を説明するものであり、実施されうる、あるいは請求項の範囲内に含まれる実施形態のみを表すものではない。本文書にわたって使用される用語「例示的（exemplary）」は、「好ましい」あるいは「その他の実施形態よりも有利である」ということではなく、「実例、インスタンス、あるいは例示として役立つこと」を意味する。詳細な説明は、説明された技術の理解を与える目的のための特定の詳細を含む。しかしながら、これらの技術は、これら特定の詳細を用いることなく実践されうる。いくつかのインスタンスにおいて、周知の構造およびデバイスは、説明された実施形態の概念を曖昧にすることを回避するために、ブロック図の形態で示される。
【００８８】
情報および信号は、様々な異なる技術および技法のうちの任意のものを使用して表されうる。例えば、上記の説明を通して参照されうるデータ、命令群、コマンド、情報、信号、ビット、シンボル、およびチップは、電圧、電流、電磁波、磁界あるいは磁気粒子、光学界または光学粒子、あるいはそれら任意の組み合わせによって表わされうる。
【００８９】
本明細書における開示に関連付けて説明された多様な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいはその他のプログラマブルロジックデバイス、離散ゲートもしくはトランジスタロジック、離散ハードウェアコンポーネント、あるいは本明細書において説明された機能を実行するために設計された、それら任意の組合せで実施あるいは実行されうる。汎用プロセッサは、マイクロプロセッサでありうるが、代替例として、このプロセッサは、任意の従来型のプロセッサ、コントローラ、マイクロコントローラ、あるいはステートマシンでありうる。プロセッサはまた、例えば、ＤＳＰとマイクロプロセッサの組み合わせ、複数のマイクロプロセッサ、ＤＳＰコアと連結した1又は複数のマイクロプロセッサ、もしくはその他任意のこのような構成のような、コンピューティングデバイスの組み合わせとして実現されうる。
【００９０】
本明細書において説明された機能は、ハードウェア、プロセッサによって実行されるソフトウェア、ファームウェア、あるいはそれら任意の組み合わせにおいて実施されうる。プロセッサによって実行されるソフトウェアにおいて実現される場合、機能は、１又は複数の命令群あるいはコードとして、コンピュータ可読媒体に記憶されうる、もしくはそれによって送信されうる。他の例及びインプリメンテーションは、本開示及び請求項の範囲及び精神内である。例えば、ソフトウェアの本質に起因して、上述した機能は、プロセッサによって実行されるソフトウェア、ハードウェア、ファームウェア、ハードワイヤリング、或いはそれらの任意の組み合わせを用いてインプリメントすることができる。機能をインプリメントする特徴は、種々の位置に物理的に配置されるかもしれず、機能の一部が異なった物理的位置にインプリメントされるように分配されることを含む。また、ここで用いられるように、請求項に含まれ、「少なくとも１つの」によってプリフェイスされるアイテムのリストで用いられるような「又は」は、分離的なリストを含み、例えば、「Ａ、Ｂ又はＣの少なくとも１つ」は、Ａ又はＢ又はＣ又はＡＢ又はＡＣ又はＢＣ又はＡＢＣ（すなわち、Ａ及びＢ及びＣ）である。
【００９１】
コンピュータ読取可能媒体は、１つの場所から別の場所へのコンピュータプログラムの転送を容易にする任意の媒体を含む通信媒体およびコンピュータ記憶媒体の両方を含む。記憶媒体は、汎用コンピュータあるいは特殊用途コンピュータによってアクセスされうる任意の利用可能な媒体でありうる。限定ではなく、実例として、コンピュータ可読媒体は、ＲＡＭ、ＲＯＭ、ＥＥＰＲＯＭ、ＣＤ−ＲＯＭ、あるいはその他の光学ディスク記憶装置、磁気ディスク記憶装置又はその他の磁気記憶デバイス、あるいは、命令群又はデータ構造の形態で望ましいプログラムコード手段を搬送又は格納するために使用されることができ、かつ、汎用又は特殊用途コンピュータ、あるいは汎用又は特殊用途プロセッサによってアクセスすることができるその他任意の媒体を備えうる。また、任意の接続は、コンピュータ読取可能媒体と厳密には称されうる。例えば、ソフトウェアが、同軸ケーブル、光ファイバーケーブル、ツイストペア、デジタル加入者回線（ＤＳＬ）、または赤外線、電波、およびマイクロ波などの無線技術を使用して、ウェブサイト、サーバ、または他のリモートソースから送信される場合には、この同軸ケーブル、光ファイバーケーブル、ツイストペア、ＤＳＬ、または赤外線、電波、およびマイクロ波などの無線技術は、媒体の定義に含まれる。本明細書で使用されるようなディスク（disk）及びディスク（disc）は、コンパクトディスク（ＣＤ）（disc）、レーザディスク（disc）、光学ディスク(disc)、デジタルバーサタイルディスク（ＤＶＤ）（disk）、フロッピー（登録商標）ディスク（disk）及びブルーレイ（登録商標）ディスク（disc）を含み、ここで、ディスク（disk）は通常、データを磁気的に再生する一方、ディスク（disc）はレーザを用いてデータを光学的に再生する。上記のものによる組合せも、コンピュータ可読媒体の範囲内に含まれる。
【００９２】
本開示の以上の説明は、当業者が本開示を製造あるいは使用できるように提供される。本開示に対する様々な変形は当業者にとってすぐにわかるものであり、本明細書で定義された包括的原理は本開示の精神または範囲を逸脱することなく他の開示に適用可能である。本開示を通して、用語「実例（example）」あるいは「例示的（exemplary）」は、実例あるいはインスタンスを示すものであり、言及された実例に対するいかなる選好を暗に示すものでも必要とするものでもない。よって、本開示は、本明細書において説明される実例および設計に限定されるものではなく、本明細書において開示された原理および新規の特徴と矛盾しない最大範囲であると認められるべきである。
以下に、本願出願の当初の特許請求の範囲に記載された発明を付記する。
［１］フェムトセルにおける無線通信の方法であって、
アウトオブバンド（ＯＯＢ）フェムトプロキシを用いてフェムトセルカバレージエリア内のユーザー機器（ＵＥ）の存在を検出することと、
前記検出された存在に応答する前記フェムトセルで前記ＵＥを登録することと、
前記登録されたＵＥに不連続なインバンド送信を実行することであって、前記不連続なインバンド送信がウェイクアップ及びパワーダウン状態のシリーズを備えることと、
を備える方法。
［２］前記ＵＥの存在を検出する前に、コントロールインフォメーションを備える不連続なインバンド送信を実行することをさらに備える
［１］の方法。
［３］第２のＵＥを登録することをさらに備え、前記第２のＵＥは、コントロールインフォメーションを備えた不連続なインバンド送信に応答する登録を要求する
［２］の方法。
［４］前記ＵＥの検出に応答するコントロールインフォメーションを備えた不連続なインバンド送信をディセーブルにすることと、
前記フェムトセルベースステーションを発見することを前記ＵＥに合図するために、インバンド送信を実行することと、
をさらに備えた［２］の方法。
［５］コントロールインフォメーションを備える前記不連続なインバンド送信の不連続なサイクルタイムを、前記登録されたＵＥへの不連続なインバンド送信に対する異なったサイクルタイムに変更することをさらに備えた
［２］の方法。
［６］前記ＵＥの存在を検出することの前に、前記ＵＥを検出するために前記ＯＯＢ信号が送信されながら、前記インバンド送信を静的な不活性な状態に遷移させることをさらに備えた
［１］の方法。
［７］前記ＯＯＢフェムトプロキシによるプロキシミティ検出に応答して不連続な送信サイクルをモディファイすることをさらに備えた
［１］の方法。
［８］前記登録されたＵＥへの不連続なインバンド送信は、前記ＵＥへの送信に対するウェイクアップ期間をスケジュールすることを備える
［１］の方法。
［９］前記ＵＥ及び複数の他の登録されたターミナルへの送信のための前記フェムトセルでのウェイクアップ期間をシンクロナイズさせることをさらに備えた
［１］の方法。
［１０］前記フェムトセルにおけるアイドルモードにおいて、ＵＥへのダウンストリーム送信に対する不連続なサイクルタイム及びウェイクアップ期間タイミングを設定することをさらに備えた
［１］の方法。
［１１］前記フェムトセルにおける接続モードにおいて、ＵＥへのダウンストリーム送信に対する不連続なサイクルタイム及びウェイクアップ期間タイミングを設定することをさらに備えた
［１］の方法。
［１２］不連続なサイクルタイム及びウェイクアップ期間タイミングが接続モードにおいて前記ＵＥに対して設定された後、前記フェムトセルにおけるアイドルモードにおいて前記ＵＥに対する不連続なサイクルタイム及びウェイクアップ期間タイミングを設定することをさらに備え、アイドルモードにおける前記ＵＥに対する前記不連続なサイクルタイム及びウェイクアップ期間タイミングは、アイドルモードにおけるウェイクアップ期間が接続モードにおける前記ウェイクアップ期間のサブセットに実質的にオーバーラップするように設定される
［１２］の方法。
［１３］前記ＵＥ及び複数の他の登録されたＵＥに対する不連続な受信タイミングを決定することと、
前記ウェイクアップ状態を前記決定された受信タイミングにマッチさせることと、
をさらに備えた［１］の方法。
［１４］前記方法は、複数のネットワークデバイスによって実行され、
前記インバンド周波数は、前記フェムトセルとの通信に加えてマクロセルとの通信に用いることが可能であり、
前記ＯＯＢ信号はＢｌｕｅｔｏｏｔｈ（登録商標）信号である
［１］の方法。
［１５］前記方法は、複数のネットワークデバイスによって実行され、
前記インバンド周波数は、前記フェムトセルとの通信に加えてマクロセルとの通信に用いることが可能である
［１］の方法。
［１６］前記方法は、複数のネットワークデバイスによって実行され、
前記ＯＯＢ信号はＢｌｕｅｔｏｏｔｈ（登録商標）信号である
［１］の方法。
［１７］フェムトセルにおける無線通信のための装置であって、
１以上のアンテナと、
前記１以上のアンテナに結合され、インバンド及びアウトオブバンド（ＯＯＢ）信号を送信及び受信するように構成されたトランシーバと、
前記トランシーバに通信的に結合され、ＯＯＢ信号を用いて前記フェムトセル内のユーザー機器（ＵＥ）の存在を検出するように構成されたフェムトプロキシモジュールと、
前記フェムトプロキシモジュール及び前記トランシーバに通信的に結合され、前記検出された存在に応答する前記フェムトセルで前記ＵＥを登録し、ウェイクアップ及びパワーダウン状態のシリーズを備えた前記登録されたＵＥに向けられた不連続なインバンド送信を発生するように構成されたフェムトセルアクセスポイントと、
を備えた装置。
［１８］前記フェムトセルアクセスポイントはさらに、前記ＵＥの前記存在を検出する前のコントロールインフォメーションを備えた不連続なインバンド送信を発生するように構成されている
［１７］の装置。
［１９］前記フェムトセルアクセスポイントは、
前記ＵＥの検出に応答してコントロールインフォメーションを備えた不連続なインバンド送信をディセーブルにし、
前記フェムトセルを発見することを前記ＵＥに合図するために前記ＵＥの検出に応答して不連続なインバンド送信を発生するように、
さらに構成されている［１８］の装置。
［２０］前記フェムトセルアクセスポイントに通信的に結合された不連続送信コントロールモジュールをさらに備え、
前記不連続送信コントロールモジュールは、コントロールインフォメーションを備える不連続なインバンド送信の不連続なサイクルタイムを、前記登録されたＵＥへの不連続なインバンド送信に対する異なったサイクルタイムに変更するように構成されている
［１８］の装置。
［２１］前記不連続送信コントロールモジュールは、前記ＵＥがアイドルモードに遷移するときに前記不連続なサイクルタイムを変更するように構成されている
［２０］の装置。
［２２］前記不連続送信コントロールモジュールは、前記ＵＥが接続モードに遷移するときに前記不連続なサイクルタイムを変更するように構成されている
［２０］の装置。
［２３］前記フェムトセルアクセスポイントに通信的に結合された不連続送信コントロールモジュールをさらに備え、
前記不連続送信コントロールモジュールは、前記ＵＥの存在の前記検出の前に、前記ＵＥを検出するために前記ＯＯＢ信号が送信されながら、静的な不活性な状態に入らせるために前記フェムトセルアクセスポイントをトリガするように構成されている
［１８］の装置。
［２４］前記フェムトセルアクセスポイントに通信的に結合された不連続送信コントロールモジュールをさらに備え、
前記不連続送信コントロールモジュールは、前記フェムトプロキシモジュールによるプロキシミティ検出に応答して不連続な送信サイクルをモディファイするように構成されている
［１７］の装置。
［２５］前記フェムトセルアクセスポイントは、ウェイクアップ状態の最中に前記ＵＥにアクセスパラメータを送信するように構成されている
［１７］の装置。
［２６］前記登録されたＵＥへの不連続なインバンド送信は、前記ＵＥへの送信に対するウェイクアップ期間をスケジュールすることを備える
［１７］の装置。
［２７］前記フェムトセルアクセスポイントに通信的に結合された不連続送信コントロールモジュールをさらに備え、
前記不連続送信コントロールモジュールは、前記ＵＥ及び複数の他の登録されたターミナルへの送信のための前記フェムトセルアクセスポイントに対するウェイクアップ期間をシンクロナイズさせるように構成されている
［１７］の装置。
［２８］前記フェムトセルアクセスポイントに通信的に結合された不連続送信コントロールモジュールをさらに備え、
前記不連続送信コントロールモジュールは、前記ＵＥ及び複数の他の登録されたＵＥに対する不連続な受信タイミングを決定し、前記ウェイクアップ状態を前記決定された受信タイミングにマッチさせるように構成されている
［１７］の装置。
［２９］前記装置は、フェムトプロキシシステムを用いるホームノードＢを備え、
前記登録は、インバンド送信を用いて実行される
［１７］の装置。
［３０］フェムトセルにおける無線通信のための装置であって、
アウトオブバンド（ＯＯＢ）信号を用いてフェムトセルカバレージエリア内のユーザー機器（ＵＥ）の存在を検出する手段と、
前記検出された存在に応答する前記フェムトセルで前記ＵＥを登録する手段と、
ウェイクアップ及びパワーダウン状態のシリーズを備える前記登録されたＵＥへの不連続なインバンド送信を実行する手段と、
を備える装置。
［３１］前記検出に応答する不連続なサイクルタイムを変更する手段をさらに備えた
［３０］の装置。
［３２］コントロールインフォメーションを備える前記不連続なインバンド送信の不連続なサイクルタイムを、アイドルモードにおいて前記登録されたＵＥへの不連続なインバンド送信に対する異なったサイクルタイムに変更する手段をさらに備えた
［３０］の装置。
［３３］前記ＵＥを検出するために前記ＯＯＢ信号が送信されながら、前記不連続なインバンド送信を不活性化する手段をさらに備えた
［３０］の装置。
［３４］前記ＯＯＢフェムトプロキシによるプロキシミティ検出に応答して不連続な送信サイクルをモディファイする手段をさらに備えた
［３０］の装置。
［３５］前記ＵＥ及び複数の他の登録されたターミナルへの送信のための前記フェムトセルでのウェイクアップサイクルをシンクロナイズさせる手段をさらに備えた
［３０］の装置。
［３６］前記装置は、フェムトプロキシシステムであり、
前記インバンド周波数は、前記フェムトセルとの通信に加えてマクロセルとの通信に用いることが可能であり、
前記ＯＯＢ信号はＢｌｕｅｔｏｏｔｈ（登録商標）信号である
［３０］の方法。
［３７］フェムトセルにおける無線通信のためのプロセッサであって、
アウトオブバンド（ＯＯＢ）信号を用いてフェムトセルカバレージエリア内のユーザー機器（ＵＥ）の存在を検出し、
前記検出された存在に応答する前記フェムトセルで前記ＵＥを登録し、
ウェイクアップ及びパワーダウン状態のシリーズを備える前記登録されたＵＥへの不連続なインバンド送信を実行する
ように構成されたプロセッサ。
［３８］前記検出に応答して、コントロールインフォメーションを備える前記不連続なインバンド送信の不連続なサイクルタイムを、前記登録されたＵＥへの不連続なインバンド送信に対する異なったサイクルタイムに変更するようにさらに構成された
［３７］のプロセッサ。
［３９］アイドルモードにおける前記不連続なインバンド送信の不連続なサイクルタイムを、接続モードにおける前記不連続なインバンド送信に対する異なったサイクルタイムに変更するようにさらに構成された
［３７］のプロセッサ。
［４０］前記ＵＥ及び複数の他の登録されたターミナルへの送信のための前記フェムトセルでのウェイクアップサイクルをシンクロナイズさせ、
不連続な受信に対する前記ＵＥ及び前記複数の他の登録されたターミナルに前記シンクロナイズしたサイクルタイムで合図をするようにさらに構成された
［３７］のプロセッサ。
［４１］プロセッサ読み取り可能な媒体に存在し、プロセッサ読み取り可能なインストラクションを備えたコンピュータプログラム製品であって、プロセッサ読み取り可能なインストラクションはプロセッサに、
アウトオブバンド（ＯＯＢ）フェムトプロキシを用いてフェムトセルカバレージエリア内のユーザー機器（ＵＥ）の存在を検出させ、
前記検出された存在に応答する前記フェムトセルで前記ＵＥを登録させ、
ウェイクアップ及びパワーダウン状態のシリーズを備える前記登録されたＵＥへの不連続なインバンド送信を実行させる
コンピュータプログラム製品。
［４２］フェムトセルにおける無線通信の方法であって、
前記フェムトセルにおける接続モードにおいて、ユーザー機器（ＵＥ）へのダウンストリーム送信に対する不連続なサイクルタイム及びウェイクアップ期間タイミングを設定することと、
前記不連続なサイクルタイム及びウェイクアップ期間タイミングが接続モードにおいて前記ＵＥに対して設定された後、前記フェムトセルにおけるアイドルモードにおいてＵＥに対する不連続なサイクルタイム及びウェイクアップ期間タイミングを設定することであって、アイドルモードにおける前記ＵＥに対する前記不連続なサイクルタイム及びウェイクアップ期間タイミングは、アイドルモードにおけるウェイクアップ期間が接続モードにおける前記ウェイクアップ期間のサブセットに実質的にオーバーラップするように設定されることと、
を備えた方法。
［４３］前記接続モードにおけるＵＥに対する不連続なサイクルタイムは、アイドルモードにおけるＵＥよりも短い
［４２］の方法。
［４４］前記フェムトセルにおけるアイドルモードにおいてＵＥに対する前記ウェイクアップ期間タイミングを設定することは、
アイドルモードにおけるＵＥに対するウェイクアップ期間のスタートを、接続モードにおける前記ＵＥに対する前記ウェイクアップ期間のスタートにアラインさせることを備える
［４２］の方法。
［４５］アイドルモードにおけるＵＥに対するウェイクアップ期間の長さは、接続モードにおける前記ＵＥに対する前記ウェイクアップ期間に実質的に等しい
［４２］の方法。
［４６］アイドルモードにおけるＵＥに対する前記不連続なサイクルタイムは、接続モードにおけるＵＥに対する前記不連続なサイクルタイムの整数倍に実質的に等しい
［４２］の方法。
【図１】
0005908488.tif 000002
【図２Ａ】
0005908488.tif 000003
【図２Ｂ】
0005908488.tif 000004
【図３】
0005908488.tif 000005
【図４】
0005908488.tif 000006
【図５Ａ】
0005908488.tif 000007
【図５Ｂ】
0005908488.tif 000008
【図５Ｃ】
0005908488.tif 000009
【図６】
0005908488.tif 000010
【図７】
0005908488.tif 000011
【図８】
0005908488.tif 000012
【図９】
0005908488.tif 000013
【図１０】
0005908488.tif 000014